(57)【特許請求の範囲】
【請求項１】
密閉容器内に圧縮室を有する圧縮機と、第一の冷媒流路切替装置と、第一の熱交換器と、第一の絞り装置と、第二の熱交換器とを冷媒配管で接続し循環回路を形成して冷凍サイクルを構成し、
前記圧縮機の吸入側の流路に設けられた余剰冷媒を貯留するためのアキュムレーターと、前記圧縮機と前記アキュムレーターとの間の流路に外部から液または二相状態の冷媒を導入するための吸入インジェクション配管と、前記吸入インジェクション配管に設けられた第二の絞り装置と、を備え、
暖房運転としては、
前記第一の熱交換器に低圧の冷媒を流して蒸発器として動作させかつ前記第二の熱交換器のすべてに高圧の冷媒を流して凝縮器として動作させる全暖房運転と、
前記第一の熱交換器及び一部の前記第二の熱交換器に低圧の冷媒を流して蒸発器として動作させかつ他部の前記第二の熱交換器を凝縮器として動作させる暖房主体運転とを実行可能であり、
前記暖房運転時における前記第二の熱交換器から前記第一の熱交換器に至る冷媒の流路であって前記第二の絞り装置が設けられた前記吸入インジェクション配管から分岐した冷媒の流路に、前記暖房運転時に前記高圧よりも小さくかつ前記低圧よりも大きい中圧を生成する第三の絞り装置を備え、
前記全暖房運転時の前記中圧の方が前記暖房主体運転時における前記中圧よりも高くなるように前記第三の絞り装置が制御され、
前記暖房運転時における前記第三の絞り装置の上流側の流路と前記第二の絞り装置の上流側の流路とを接続し、前記暖房運転時に前記第三の絞り装置によって生成された前記中圧の冷媒を前記第二の絞り装置及び前記吸入インジェクション配管を介して前記圧縮機の吸入側に導入する
ことを特徴とする空気調和装置。
【請求項２】
密閉容器内に圧縮室を有する圧縮機と、第一の冷媒流路切替装置と、第一の熱交換器と、第一の絞り装置と、第二の熱交換器とを冷媒配管で接続し循環回路を形成して冷凍サイクルを構成し、
前記圧縮機の吸入側の流路に設けられた余剰冷媒を貯留するためのアキュムレーターと、前記圧縮機と前記アキュムレーターとの間の流路に外部から液または二相状態の冷媒を導入するための吸入インジェクション配管と、前記吸入インジェクション配管に設けられた第二の絞り装置と、
前記第一の熱交換器から前記第一の絞り装置へ冷媒が流れる場合の冷媒流路から冷媒を分流させる第一の分岐部と、
前記第一の絞り装置から前記第一の熱交換器へ冷媒が流れる場合の冷媒流路から冷媒を分流させる第二の分岐部と、
前記第一の分岐部と前記第二の分岐部とを接続し、その配管上に前記吸入インジェクション配管が接続された分岐配管と、
前記第一の分岐部と、前記分岐配管と前記吸入インジェクション配管との接続部との間に設置された第一の導通装置と、
前記第二の分岐部と、前記接続部との間に設置された第二の導通装置とを備え、
少なくとも前記第一の熱交換器に低圧の冷媒を流して蒸発器として動作させかつ前記第二の熱交換器の一部またはすべてに高圧の冷媒を流して凝縮器として動作させる暖房運転が可能であり、
前記暖房運転時における前記第二の熱交換器から前記第一の熱交換器に至る冷媒の流路に、前記暖房運転時に前記高圧よりも小さくかつ前記低圧よりも大きい中圧を生成する第三の絞り装置を備え、
前記暖房運転時における前記第三の絞り装置の上流側の流路と前記第二の絞り装置の上流側の流路とを接続し、前記暖房運転時に前記第三の絞り装置によって生成された前記中圧の冷媒を前記第二の絞り装置及び前記吸入インジェクション配管を介して前記圧縮機の吸入側に導入する
ことを特徴とする空気調和装置。
【請求項３】
前記第一の冷媒流路切替装置の作用により、前記第一の熱交換器に高圧の冷媒を流して凝縮器として動作させかつ前記第二の熱交換器の一部またはすべてに低圧の冷媒を流して蒸発器として動作させる冷房運転と、
前記第一の熱交換器に低圧の冷媒を流して蒸発器として動作させかつ前記第二の熱交換器の一部またはすべてに高圧の冷媒を流して凝縮器として動作させる暖房運転と、が切り替え可能であり、
前記冷房運転時、前記冷媒は前記第三の絞り装置を通らずに、前記循環回路を循環し、前記高圧の冷媒を前記第二の絞り装置及び前記吸入インジェクション配管を介して前記圧縮機の吸入側に導入し、
前記暖房運転時、前記冷媒は前記第三の絞り装置を通って前記循環回路を循環し、前記第三の絞り装置によって生成された前記中圧の冷媒を前記第二の絞り装置及び前記吸入インジェクション配管を介して前記圧縮機の吸入側に導入する
ことを特徴とする請求項１又は２に記載の空気調和装置。
【請求項４】
前記第一の熱交換器から前記第一の絞り装置へ冷媒が流れる場合の冷媒流路から冷媒を分流させる第一の分岐部と、
前記第一の絞り装置から前記第一の熱交換器へ冷媒が流れる場合の冷媒流路から冷媒を分流させる第二の分岐部と、
前記第一の分岐部と前記第二の分岐部とを接続し、その配管上に前記吸入インジェクション配管が接続された分岐配管と、
前記第一の分岐部と、前記分岐配管と前記吸入インジェクション配管との接続部との間に設置された第一の導通装置と、
前記第二の分岐部と、前記接続部との間に設置された第二の導通装置とを備えた
ことを特徴とする請求項１に記載の空気調和装置。
【請求項５】
前記第一の導通装置は、
前記分岐配管の冷媒流路の開閉を実施する開閉装置であり、
前記第二の導通装置は、
前記第二の分岐部から前記吸入インジェクション配管へ流れる方向にのみ冷媒を導通させる逆流防止装置である
ことを特徴とする請求項２又は４に記載の空気調和装置。
【請求項６】
前記第一の分岐部は、
前記冷房運転及び前記暖房運転のいずれの場合にも、同一の方向から冷媒が流入するように配置されている
ことを特徴とする請求項２、４、５のいずれか一項に記載の空気調和装置。
【請求項７】
重力方向に対して反対の方向に冷媒の流れを形成して分流させるように、前記第一の分岐部および前記第二の分岐部を配置する
ことを特徴とする請求項２、４〜６のいずれか一項に記載の空気調和装置。
【請求項８】
前記第一の導通装置は、
前記第一の分岐部から前記吸入インジェクション配管へ流れる方向にのみ冷媒を導通させる逆流防止装置であり、
前記第二の導通装置は、
前記第二の分岐部から前記吸入インジェクション配管へ流れる方向にのみ冷媒を導通させる逆流防止装置である
ことを特徴とする請求項２又は４に記載の空気調和装置。
【請求項９】
前記第一の分岐部は、
前記冷房運転の場合と前記暖房運転の場合とで、前記第一の分岐部に流入する冷媒の方向が逆方向になるように配置されている
ことを特徴とする請求項８に記載の空気調和装置。
【請求項１０】
前記冷房運転時に、重力方向に対して反対の方向に冷媒の流れを形成して分流させるように前記第一の分岐部を配置し、
前記冷房運転時及び前記暖房運転時に、重力方向に対して反対の方向に冷媒の流れを形成して分流させるように前記第二の分岐部を配置する
ことを特徴とする請求項４、８、９のいずれか一項に記載の空気調和装置。
【請求項１１】
前記第二の絞り装置は、
流路における開口面積を変化させる冷媒絞り部と、前記冷媒絞り部より冷媒流入側において、二相状態の冷媒を攪拌させる冷媒攪拌装置とを備える
ことを特徴とする請求項１〜１０のいずれか一項に記載の空気調和装置。
【請求項１２】
前記圧縮機の吐出側の冷媒吐出温度、又は、前記冷媒吐出温度と前記圧縮機の吐出側の圧力から演算される冷媒吐出過熱度、のいずれかが目標値に近づくように、または、目標範囲に収まるように、前記第二の絞り装置を制御し、
前記第二の絞り装置及び前記吸入インジェクション配管を介して前記圧縮機の吸入側に流れる冷媒の流量を制御する制御装置を備えた
ことを特徴とする請求項１〜１１のいずれか一項に記載の空気調和装置。
【請求項１３】
前記中圧の冷媒の圧力または温度を検出する検出装置を備え、
前記制御装置は、
前記検出装置の検出圧力あるいは検出温度の飽和圧力、又は、前記検出装置の検出温度あるいは検出圧力の飽和温度が、
目標値に近づくように、又は、目標範囲に収まるように、前記第三の絞り装置を制御する
ことを特徴とする請求項１２に記載の空気調和装置。
【請求項１４】
前記圧縮機と、前記第一の冷媒流路切替装置と、前記第一の熱交換器と、を室外ユニットに収容し、
前記第一の絞り装置と、前記第二の熱交換器と、を中継ユニットに収容し、
前記室外ユニットと前記中継ユニットとを、内部に前記冷媒が流通する２本の冷媒配管で接続し、
前記中継ユニットと空調対象空間の空気を加熱または冷却する複数の室内機とを前記冷媒または水等の熱媒体を流通させる配管で接続し、
前記２本の冷媒配管の一方に高圧の液冷媒が流れ、他方に低圧のガス冷媒が流れる全冷房運転モードと、前記２本の冷媒配管の一方に高圧のガス冷媒が流れ、他方に中圧の二相冷媒が流れる全暖房運転モードと、を備え、
前記全冷房運転モードにおいては、前記開閉装置を開とし、前記第一の分岐部から前記開閉装置を介して前記分岐配管に高圧の液冷媒を導入し、前記全暖房運転モードにおいては、前記開閉装置を閉とし、前記第二の分岐部から前記分岐配管に中圧の二相冷媒を導入する
ことを特徴とする請求項５に従属する請求項６、１０〜１２のいずれか一項に記載の空気調和装置。
【請求項１５】
前記第二の熱交換器として加熱用の熱媒体間熱交換器と冷却用の熱媒体間熱交換器とを備え、
前記２本の冷媒配管の一方に高圧の二相冷媒が流れ、他方に低圧のガス冷媒が流れる冷房主体運転モードと、前記２本の冷媒配管の一方に高圧のガス冷媒が流れ、他方に中圧の二相冷媒が流れる暖房主体運転モードとを運転形態としてさらに有し、
前記制御装置は、
前記冷房主体運転モードでの運転を行うときには、前記開閉装置を開にさせて、前記第一の分岐部から前記開閉装置を介して前記吸入インジェクション配管に高圧の二相冷媒を流入させ、
前記暖房主体運転モードでの運転を行うときには、前記開閉装置を閉にさせて、前記第二の分岐部から前記吸入インジェクション配管に中圧の二相冷媒を流入させる
ことを特徴とする請求項１４に記載の空気調和装置。
【請求項１６】
前記圧縮機と、前記第一の冷媒流路切替装置と、前記第一の熱交換器と、を室外ユニットに収容し、
前記第一の絞り装置と、前記第二の熱交換器と、を中継ユニットに収容し、
前記室外ユニットと前記中継ユニットとを、内部に前記冷媒が流通する２本の冷媒配管で接続し、
前記中継ユニットと空調対象空間の空気を加熱または冷却する複数の室内機とを前記冷媒または水等の熱媒体を流通させる配管で接続し、
前記２本の冷媒配管の一方に高圧の液冷媒が流れ、他方に低圧のガス冷媒が流れる全冷房運転モードと、前記２本の冷媒配管の一方に高圧のガス冷媒が流れ、他方に中圧の二相冷媒が流れる全暖房運転モードと、を備え、
前記全冷房運転モードにおいては、前記第一の分岐部から逆流防止装置である前記第一の導通装置を介して前記分岐配管に高圧の液冷媒を導入し、前記全暖房運転モードにおいては、前記第二の分岐部から前記分岐配管に中圧の二相冷媒を導入する
ことを特徴とする請求項８〜１０、請求項８〜１０に従属する請求項１１〜１３のいずれか一項に記載の空気調和装置。
【請求項１７】
前記第二の熱交換器として加熱用の熱媒体間熱交換器と冷却用の熱媒体間熱交換器とを備え、
前記２本の冷媒配管の一方に高圧の二相冷媒が流れ、他方に低圧のガス冷媒が流れる冷房主体運転モードと、前記２本の冷媒配管の一方に高圧のガス冷媒が流れ、他方に中圧の二相冷媒が流れる暖房主体運転モードとを運転形態としてさらに有し、
前記制御装置は、
前記冷房主体運転モードでの運転を行うときには、前記第一の分岐部から逆流防止装置である前記第一の導通装置を介して前記吸入インジェクション配管に高圧の二相冷媒を流入させ、
前記暖房主体運転モードでの運転を行うときには、前記第二の分岐部から前記吸入インジェクション配管に中圧の二相冷媒を流入させる
ことを特徴とする請求項１６に記載の空気調和装置。
【発明の詳細な説明】
【技術分野】
【０００１】
本発明は、たとえばビル用マルチエアコンなどに適用される空気調和装置に関するものである。
【背景技術】
【０００２】
空気調和装置には、ビル用マルチエアコンなどのように、室外機、中継器、及び室内機を備え、室外機及び中継器を冷媒が循環する冷媒配管で接続し、中継器及び室内機を熱媒体が循環する熱媒体配管で接続したものが提案されている（たとえば、特許文献１参照）。この特許文献１に記載の技術は、室外機と室内機とが、冷媒と熱媒体とを熱交換させる熱媒体間熱交換器を有する中継器を介して接続されているため、冷媒の搬送動力及び熱媒体の搬送能力を低減させることが可能となっている。また、特許文献１に記載の技術は、中継器が、複数の熱媒体間熱交換器及び複数の流路切替装置を有しているため、冷暖房混在運転を実施することが可能となっている。【０００３】
また、圧縮機の吐出温度を低下させることで、冷媒回路や運転状態などによらないで圧縮機を安定的に運転させるために、高圧の液冷媒が流れる冷媒配管と圧縮機の中間圧力部とを接続し、圧縮機に液インジェクションする冷凍装置が提案されている（たとえば、特許文献２参照）。【０００４】
さらに、室内側に設けられた絞り装置に並列に逆止弁を接続するとともに、室外側に設けられた絞り装置にも並列に逆止弁を接続している冷媒回路を有する空気調和装置が提案されている（たとえば、特許文献３参照）。特許文献３に記載の技術は、この冷媒回路により、冷房運転と暖房運転とを切り替えることで冷媒の流れが変わっても、高圧の液冷媒を圧縮機の吸入側とアキュムレーターとを接続する配管に供給し、圧縮機にインジェクションすることが可能となっている。
【先行技術文献】
【特許文献】
【０００５】
【特許文献１】ＷＯ１０／０４９９９８号公報（たとえば、図１参照）
【特許文献２】特開２００５−２８２９７２（たとえば、３〜４頁及び図１参照）
【特許文献３】特開平２−１１０２５５（たとえば、３〜４頁及び図１参照）
【発明の概要】
【発明が解決しようとする課題】
【０００６】
特許文献１に記載の技術は、そもそもインジェクションを実施するものではないため、動作冷媒をたとえばＲ３２冷媒などとした場合における低外気温度の暖房運転時に、圧縮機の吐出温度が高くなり過ぎて、冷媒や冷凍機油が劣化してしまい、空気調和装置の動作安定性を低下させる可能性があった。【０００７】
特許文献２に記載の技術は、冷凍装置の圧縮機に高圧の液冷媒をインジェクションする技術であるため、たとえば冷房運転から暖房運転や冷暖房混在運転などに切り替えるなどをして、冷媒の流れを変更した際に対応することができないという課題があった。【０００８】
特許文献３に記載の技術は、室外機側の絞り装置に並列に逆止弁が接続されていない室内機に対しては、インジェクションすることができず、その分汎用性に乏しかった。【０００９】
本発明は、上記の課題のうちの少なくとも１つを解決するものであり、運転モードによらないで、圧縮機の吐出温度を低下させて動作安定性を向上させることを可能とする空気調和装置を提供することを目的としている。
【課題を解決するための手段】
【００１０】
本発明に係る空気調和装置は、密閉容器内に圧縮室を有する圧縮機と、第一の冷媒流路切替装置と、第一の熱交換器と、第一の絞り装置と、第二の熱交換器とを冷媒配管で接続し循環回路を形成して冷凍サイクルを構成し、圧縮機の吸入側の流路に設けられた余剰冷媒を貯留するためのアキュムレーターと、圧縮機とアキュムレーターとの間の流路に外部から液または二相状態の冷媒を導入するための吸入インジェクション配管と、吸入インジェクション配管に設けられた第二の絞り装置と、を備え、暖房運転としては、第一の熱交換器に低圧の冷媒を流して蒸発器として動作させかつ第二の熱交換器のすべてに高圧の冷媒を流して凝縮器として動作させる全暖房運転と、第一の熱交換器及び一部の第二の熱交換器に低圧の冷媒を流して蒸発器として動作させかつ他部の第二の熱交換器を凝縮器として動作させる暖房主体運転とを実行可能であり、暖房運転時における第二の熱交換器から第一の熱交換器に至る冷媒の流路であって第二の絞り装置が設けられた吸入インジェクション配管から分岐した冷媒の流路に、暖房運転時に高圧よりも小さくかつ低圧よりも大きい中圧を生成する第三の絞り装置を備え、全暖房運転時の中圧の方が暖房主体運転時における中圧よりも高くなるように第三の絞り装置が制御され、暖房運転時における第三の絞り装置の上流側の流路と第二の絞り装置の上流側の流路とを接続し、暖房運転時に第三の絞り装置によって生成された中圧の冷媒を第二の絞り装置及び吸入インジェクション配管を介して圧縮機の吸入側に導入するものである。
【発明の効果】
【００１１】
本発明に係る空気調和装置によれば、吸入インジェクション配管からの吸入インジェクションによって、運転モードによらず、圧縮機から吐出される冷媒温度が高くなることを抑制することができるため、冷媒や冷凍機油の劣化を抑制し、動作安定性を向上させることができる。
【図面の簡単な説明】
【００１２】
【図１】本発明の実施の形態１及び実施の形態２に係る空気調和装置の設置例を示す概略図である。
【図２】本発明の実施の形態１に係る空気調和装置の回路構成例である。
【図３】図２に示す空気調和装置の全冷房運転時の冷媒及び熱媒体の流れを説明する図である。
【図４】図３及び図１３に示す全冷房運転時におけるｐ−ｈ線図（圧力−エンタルピ線図）である。
【図５】図２に示す空気調和装置の全暖房運転時の冷媒及び熱媒体の流れを説明する図である。
【図６】図５及び図１４に示す全暖房運転時におけるｐ−ｈ線図である。
【図７】図２に示す空気調和装置の冷房主体運転時の冷媒及び熱媒体の流れを説明する図である。
【図８】図７及び図１５に示す冷房主体運転時におけるｐ−ｈ線図である。
【図９】図２に示す空気調和装置の全暖房運転時の冷媒及び熱媒体の流れを説明する図である。
【図１０】図９及び図１６に示す暖房主体運転時におけるｐ−ｈ線図である。
【図１１】本発明の実施の形態１及び実施の形態２に係る空気調和装置の絞り装置の構成の概略図である。
【図１２】本発明の実施の形態２に係る空気調和装置の回路構成例である。
【図１３】図１２に示す空気調和装置の全冷房運転時の冷媒及び熱媒体の流れを説明する図である。
【図１４】図１２に示す空気調和装置の全暖房運転時の冷媒及び熱媒体の流れを説明する図である。
【図１５】図１２に示す空気調和装置の冷房主体運転時の冷媒及び熱媒体の流れを説明する図である。
【図１６】図１２に示す空気調和装置の全暖房運転時の冷媒及び熱媒体の流れを説明する図である。
【発明を実施するための形態】
【００１３】
実施の形態１．
本発明の実施の形態１について、図面に基づいて説明する。図１は、本実施の形態１に係る空気調和装置の設置例を示す概略図である。図１に基づいて、空気調和装置の設置例について説明する。本空気調和装置は、冷媒及び熱媒体を循環させる冷凍サイクル（冷媒循環回路Ａ、熱媒体循環回路Ｂ）を利用することで各室内機が運転モードとして冷房モードあるいは暖房モードを自由に選択できるものである。なお、図１を含め、以下の図面では各構成部材の大きさの関係が実際のものとは異なる場合がある。
【００１４】
図１においては、本実施の形態１に係る空気調和装置は、熱源機である１台の室外機１と、複数台の室内機２と、室外機１と室内機２との間に介在する熱媒体変換機３と、を有している。熱媒体変換機３は、冷媒（熱源側冷媒）と熱媒体とで熱交換を行なうものである。室外機１と熱媒体変換機３とは、冷媒を導通する冷媒配管４で接続されている。熱媒体変換機３と室内機２とは、熱媒体を導通する配管（熱媒体配管）５で接続されている。そして、室外機１で生成された冷熱あるいは温熱は、熱媒体変換機３を介して室内機２に配送されるようになっている。
【００１５】
室外機１は、通常、ビルなどの建物９の外の空間（たとえば、屋上など）である室外空間６に配置され、熱媒体変換機３を介して室内機２に冷熱又は温熱を供給するものである。室内機２は、建物９の内部の空間（たとえば、居室など）である室内空間７に冷房用空気あるいは暖房用空気を供給できる位置に配置され、空調対象空間となる室内空間７に冷房用空気あるいは暖房用空気を供給するものである。熱媒体変換機３は、室外機１及び室内機２とは別筐体として、室外空間６及び室内空間７とは別の位置に設置できるように構成されており、室外機１及び室内機２とは冷媒配管４及び配管５でそれぞれ接続され、室外機１から供給される冷熱あるいは温熱を室内機２に伝達するものである。
【００１６】
図１に示すように、本実施の形態１に係る空気調和装置においては、室外機１と熱媒体変換機３とが２本の冷媒配管４を用いて、熱媒体変換機３と各室内機２とが２本の配管５を用いて、それぞれ接続されている。このように、本実施の形態１に係る空気調和装置では、２本の配管（冷媒配管４、配管５）を用いて各ユニット（室外機１、室内機２及び熱媒体変換機３）を接続することにより、施工が容易となっている。
【００１７】
なお、図１においては、熱媒体変換機３が、建物９の内部ではあるが室内空間７とは別の空間である天井裏などの空間（以下、単に空間８と称する）に設置されている状態を例に示している。熱媒体変換機３は、その他、エレベーターなどがある共用空間などに設置することも可能である。また、図１及び図２においては、室内機２が天井カセット型である場合を例に示してあるが、これに限定するものではなく、天井埋込型や天井吊下式など、室内空間７に直接またはダクトなどにより、暖房用空気あるいは冷房用空気を吹き出せるようになっていればどんな種類のものでもよい。
【００１８】
図１においては、室外機１が室外空間６に設置されている場合を例に示しているが、これに限定するものではない。たとえば、室外機１は、換気口付の機械室などの囲まれた空間に設置してもよく、排気ダクトで廃熱を建物９の外に排気することができるのであれば建物９の内部に設置してもよく、あるいは、水冷式の室外機１を用いて建物９の内部に設置するようにしてもよい。どのような場所に室外機１を設置するとしても、特段の問題が発生することはない。
【００１９】
また、熱媒体変換機３は、室外機１の近傍に設置することもできる。ただし、熱媒体変換機３から室内機２までの距離が長すぎると、熱媒体の搬送動力がかなり大きくなるため、省エネの効果は薄れることに留意が必要である。さらに、室外機１、室内機２及び熱媒体変換機３の接続台数を図１及び図２に図示してある台数に限定するものではなく、本実施の形態１に係る空気調和装置が設置される建物９に応じて台数を決定すればよい。
【００２０】
図２は、本実施の形態１に係る空気調和装置（以下、空気調和装置１００と称する）の回路構成例である。図１１は、本実施の形態１に係る空気調和装置１００の絞り装置１４の構成の概略図である。図２及び図１１に基づいて、空気調和装置１００の詳しい構成について説明する。
図２に示すように、室外機１と熱媒体変換機３とが、熱媒体変換機３に備えられている熱媒体間熱交換器１５ａ及び熱媒体間熱交換器１５ｂを介して冷媒配管４で接続されている。また、熱媒体変換機３と室内機２とも、熱媒体間熱交換器１５ａ及び熱媒体間熱交換器１５ｂを介して配管５で接続されている。なお、冷媒配管４については後段で詳述するものとする。
【００２１】
空気調和装置１００は、冷媒を循環させる冷凍サイクルである冷媒循環回路Ａ及び熱媒体を循環させる熱媒体循環回路Ｂを有しており、各室内機２が冷房運転、暖房運転を選択できるものである。そして、動作している室内機２の全てが冷房運転を実行するモードを全冷房運転モード、動作している室内機２の全てが暖房運転を実行するモードを全暖房運転モード、冷房運転と暖房運転を実行する室内機が混在するモードを冷房暖房混在運転モードを行うことができる。なお、冷暖房混在運転モードには、冷房負荷の方が大きい冷房主体運転モード、及び暖房負荷の方が大きい暖房主体運転モードがある。全冷房運転モード、全暖房運転モード、冷房主体運転モード、及び暖房主体運転モードについては、図３〜図１０の説明で詳しく説明するものとする。
【００２２】
［室外機１］
室外機１には、圧縮機１０、四方弁などの第１冷媒流路切替装置１１、熱源側熱交換器１２と、アキュムレーター１９とが冷媒配管４で直列に接続されて搭載されている。
また、室外機１には、第１接続配管４ａ、第２接続配管４ｂ、逆止弁１３ａ、逆止弁１３ｂ、逆止弁１３ｃ、及び、逆止弁１３ｄが設けられている。
さらに、室外機１には、分岐部２７ａ、分岐部２７ｂ、開閉装置２４、逆流防止装置２０、絞り装置１４ａ、絞り装置１４ｂ、中圧検出装置３２、吐出冷媒温度検出装置３７、高圧検出装置３９、吸入インジェクション配管４ｃ、分岐配管４ｄ、制御装置５０が備えられている。
【００２３】
圧縮機１０は、冷媒を吸入し、その冷媒を圧縮して高温高圧の状態にするものであり、たとえば容量制御可能なインバータ圧縮機などで構成するとよい。圧縮機１０は、吐出側が第１冷媒流路切替装置１１に接続され、吸入側が吸入インジェクション配管４ｃ及びアキュムレーター１９に接続されている。圧縮機１０は、密閉容器内に圧縮室を有し、密閉容器内が低圧の冷媒圧雰囲気となり、圧縮室に密閉容器内の低圧冷媒を吸入して圧縮する低圧シェル型の圧縮機である。そして、圧縮機１０は、圧縮機１０の吸入側とアキュムレーター１９との間の冷媒配管４に接続される吸入インジェクション配管４ｃに接続されており、圧縮機１０の吸入側に、高圧または中圧の冷媒をインジェクションすることができるようになっている。
【００２４】
圧縮機１０の下部は、圧縮機１０の吸入側から流入した冷媒及び油（冷凍機油）が流入可能となっている。また、圧縮機１０は、モータが配置され、圧縮機１０の下部から流入した冷媒を圧縮する中間部を有している。さらに、圧縮機１０の上部には、密閉容器で構成される吐出室が備えられており、中間部で圧縮された冷媒及び油を吐出可能となっている。このように、圧縮機１０は、圧縮機１０の上部のように高温高圧の冷媒にさらされる部分と、圧縮機１０の下部のように低温低圧の冷媒にさらされる部分とを有しているため、圧縮機１０を構成する密閉容器の温度はその中間的な温度になる。なお、圧縮機１０の運転中は、中間部のモータに供給される電流によってモータが発熱する。したがって、圧縮機１０に吸入された低温低圧の気液２相冷媒は、圧縮機１０の密閉容器とモータによって加熱される。
【００２５】
第１冷媒流路切替装置１１は、暖房運転時（全暖房運転モード時及び暖房主体運転モード時）における冷媒の流れと冷房運転時（全冷房運転モード時及び冷房主体運転モード時）における冷媒の流れとを切り替えるものである。なお、図２では、第１冷媒流路切替装置１１が、圧縮機１０の吐出側と第１接続配管４ａとを接続するとともに、熱源側熱交換器１２とアキュムレーター１９とを接続している状態を図示している。
熱源側熱交換器１２は、暖房運転時には蒸発器として機能し、冷房運転時には凝縮器（または放熱器）として機能し、図示省略のファンなどの送風機から供給される空気と冷媒との間で熱交換を行ない、その冷媒を蒸発ガス化又は凝縮液化するものである。熱源側熱交換器１２は、一方が第１冷媒流路切替装置１１に接続され、他方が逆止弁１３ａが設けられる冷媒配管４に接続されている。
アキュムレーター１９は、圧縮機１０の吸入側に設けられており、過剰な冷媒を貯留するものである。アキュムレーター１９は、一方が第１冷媒流路切替装置１１に接続され、他方が圧縮機１０の吸入側に接続される。
【００２６】
逆止弁１３ａは、熱源側熱交換器１２と熱媒体変換機３との間における冷媒配管４に設けられ、所定の方向（室外機１から熱媒体変換機３への方向）のみに冷媒の流れを許容するものである。逆止弁１３ｂは、第１接続配管４ａに設けられ、暖房運転時において圧縮機１０から吐出された冷媒を熱媒体変換機３に流通させるものである。逆止弁１３ｃは、第２接続配管４ｂに設けられ、暖房運転時において熱媒体変換機３から戻ってきた冷媒を圧縮機１０の吸入側に流通させるものである。逆止弁１３ｄは、熱媒体変換機３と第１冷媒流路切替装置１１との間における冷媒配管４に設けられ、所定の方向（熱媒体変換機３から室外機１への方向）のみに冷媒の流れを許容するものである。
【００２７】
第１接続配管４ａは、室外機１内において、第１冷媒流路切替装置１１と逆止弁１３ｄとの間における冷媒配管４と、逆止弁１３ａと熱媒体変換機３との間における冷媒配管４と、を接続するものである。
第２接続配管４ｂは、室外機１内において、逆止弁１３ｄと熱媒体変換機３との間における冷媒配管４と、熱源側熱交換器１２と逆止弁１３ａとの間における冷媒配管４と、を接続するものである。第１接続配管４ａ、第２接続配管４ｂ、逆止弁１３ａ〜１３ｄを設けることで、室内機２の要求する運転に関わらず、熱媒体変換機３に流入させる冷媒の流れを一定方向にすることができる。  
【００２８】
２つの分岐部２７（分岐部２７ａ、分岐部２７ｂ）は、流入してきた冷媒を分岐させるものである。分岐部２７ａは、冷媒流入側が逆止弁１３ａが設けられる冷媒配管４に接続され、冷媒流出側の一方が室外機１と熱媒体変換機３とを接続する冷媒配管４に接続され、冷媒流出側の他方が分岐配管４ｄに接続される。また、分岐部２７ｂは、冷媒流入側が熱媒体変換機３と室外機１とを接続する冷媒配管４に接続され、冷媒流出側の一方が逆止弁１３ｄが設けられる冷媒配管４及び第２接続配管４ｂに接続され、冷媒流出側の他方が分岐配管４ｄに接続される。なお、分岐部２７は、たとえばＹ継手やＴ継手などで構成するとよい。
【００２９】
分岐部２７には、空気調和装置１００の運転モードに応じて、液冷媒又は気液２相冷媒が流れ込む。たとえば、全冷房運転モードの場合には、分岐部２７ｂにガス冷媒が流れ、冷房主体運転モードの場合には、分岐部２７ａに気液２相冷媒が流れ、分岐部２７ｂにガス冷媒が流れ、全暖房運転モード及び暖房主体運転モードの場合には、分岐部２７ｂに気液２相冷媒が流れる。そこで、分岐部２７は、気液２相冷媒を均等に分配するために、冷媒を下から上に冷媒が流れた後に、２手に分岐するような構成状態で分流させる構造とする。すなわち、分岐部２７の冷媒流入側を下側（重力方向における下）とし、分岐部２７の冷媒流出側（両方）を上側（重力方向における上）とするということである。これにより、分岐部２７に流入した気液２相冷媒を均等に分配させることができ、空気調和装置１００の空調能力の低減を抑制することができる。
【００３０】
開閉装置２４は、分岐部２７ａと吸入インジェクション配管４ｃとの間の流路の開閉をするものである。開閉装置２４は、全冷房運転モードでインジェクションする場合及び冷房主体運転モードでインジェクションする場合には開き、インジェクションしない場合には閉じるものである。そして、開閉装置２４は、全暖房運転モード及び暖房主体運転モードでは閉じるものである。開閉装置２４は、分岐配管４ｄに設けられており、一方が分岐部２７ａに接続され、他方が吸入インジェクション配管４ｃに接続される。なお、開閉装置２４は、開閉を切り替え可能な電磁弁、開口面積を変化させることが可能な電子式膨張弁などのように流路の開閉を切り替えられるものであればよい。
【００３１】
逆流防止装置２０は、全暖房運転モードでインジェクションする場合及び暖房主体運転モードでインジェクションする場合に分岐部２７ｂから吸入インジェクション配管４ｃに冷媒が流れるようにするものである。なお、逆流防止装置２０は、全冷房運転モードでインジェクションする場合及び冷房主体運転モードでインジェクションする場合では、閉じている。なお、逆流防止装置２０は、図２では逆止弁である場合を例に図示しているが、開閉を切り替え可能な電磁弁、開口面積を変化させることが可能な電子式膨張弁などでもよい。
【００３２】
中圧検出装置３２は、分岐部２７ｂと絞り装置１４ａとの間を流れる冷媒の圧力を検出するものである。すなわち、中圧検出装置３２は、熱媒体変換機３の絞り装置１６で減圧させられて、室外機１に戻ってきた中圧の冷媒の圧力を検出するものである。この中圧検出装置３２は、分岐部２７ｂと絞り装置１４ａとの間に設けられている。
高圧検出装置３９は、圧縮機１０で圧縮され、高圧となった冷媒の圧力を検出するものである。高圧検出装置３９は、圧縮機１０の吐出側に接続される冷媒配管４に設けられている。
中圧検出装置３２及び高圧検出装置３９は、圧力センサーでもよいが、温度センサーで構成してもよい。すなわち、検出した温度に基づいて、制御装置５０が演算により中圧を演算することができるようにしてもよい。
【００３３】
吐出冷媒温度検出装置３７は、圧縮機１０から吐出された冷媒の温度を検出するもので、圧縮機１０の吐出側に接続される冷媒配管４に設けられている。
吸入冷媒温度検出装置３８は、圧縮機１０に流入する冷媒の温度を検出するもので、アキュムレーター１９の上流側の冷媒配管４に設けられている。
分岐冷媒温度検出装置３３は、分岐部２７ａへ流入する冷媒温度を検出するものであり、分岐部２７ａの流入側の流路に設けられている。
【００３４】
２つの絞り装置１４（絞り装置１４ａ、１４ｂ）は、減圧弁や膨張弁としての機能を有し、冷媒を減圧して膨張させるものである。絞り装置１４ａは、第２接続配管４ｂ（後述する全暖房運転モードおよび暖房主体運転モードにおける分岐部２７ｂから熱源側熱交換器１２に至る流路）に設けられ、逆止弁１３ｃの下流側に設けられている。また、絞り装置１４ｂは、吸入インジェクション配管４ｃに設けられている。絞り装置１４ａには、全暖房運転モード及び暖房主体運転モードの場合に、気液２相冷媒が流入する。また、絞り装置１４ｂには、全冷房運転モードのときに液冷媒が流れ込み、冷房主体運転モード、全暖房運転モード、及び暖房主体運転モードの場合に、気液２相状態の冷媒が流入する。
【００３５】
絞り装置１４ａは、開口面積を変化させることが可能である電子式膨張弁で構成するとよい。絞り装置１４ａを電子式膨張弁で構成すれば、絞り装置１４ａの上流側の圧力を任意の圧力に制御することができる。なお、絞り装置１４ａは、電子式膨張弁に限定されるものではなく、制御性は少し悪化するが、小型の電磁弁などを組み合わせて開口面積を複数選択できるようにしてもよいし、キャピラリチューブとして冷媒の圧損に応じて中圧が形成されるようにしてもよい。
また、絞り装置１４ｂについても、開口面積を変化させることが可能である電子式膨張弁で構成するとよい。この絞り装置１４ｂは、インジェクションする場合において、吐出冷媒温度検出装置３７が検出する圧縮機１０の吐出温度が高くなり過ぎないように、絞り装置１４ｂの開口面積を制御する。
【００３６】
絞り装置１４を電子式膨張弁で構成した場合には、気液２相状態の冷媒が絞り装置１４に流入すると、絞り装置１４の絞り部にガスが流れる状態と液が流れる状態とが別々に発生（ガス冷媒と液冷媒との分離が発生）し、絞り装置１４の出口側の圧力が安定しないことがある。特に、冷媒の乾き度が小さい場合には、ガス冷媒と液冷媒との分離が発生し、圧力が不安定になる傾向が強い。そこで、絞り装置１４は、下記のような構成を備えている。
【００３７】
図１１に示すように、絞り装置１４は、流入管４１、流出管４２、絞り部（中圧冷媒絞り部、インジェクション冷媒絞り部）４３、弁体４４、モータ４５、及び攪拌装置（中圧冷媒攪拌装置、インジェクション冷媒攪拌装置）４６を有している。
流入管４１は、たとえば略円筒形状に形成され、流入管４１から流入した冷媒を、絞り部４３に導くものである。流出管４２は、たとえば略円筒形状に形成されるとともに流入管４１に直交するように設けられ、絞り部４３で減圧された冷媒を、絞り装置１４外に導くものである。絞り部４３は冷媒を減圧させる部位であり、流入管４１及び流出管４２と連通している。弁体４４は、絞り部４３に設けられ、絞り部４３に流入した冷媒を減圧させるものである。モータ４５は、弁体４４を回転させて弁体４４の位置を調整し、絞り部４３の絞り量を変えるものである。なお、モータ４５は、制御装置５０に制御される。攪拌装置４６は、流入管４１から流入した冷媒のうち、ガス冷媒と液冷媒とほぼ均一に混ざり合わせるものである。
このように、絞り装置１４は、上記構成を有しているため、流入したガス冷媒と液冷媒とを攪拌させてから減圧させるため、ガス冷媒と液冷媒との分離を抑制し、圧力を安定させることができる。
【００３８】
なお、攪拌装置４６は、ガス冷媒と液冷媒とがほぼ均一に混ざり合っている状態を作れるものであればよい。そこで、攪拌装置４６は、たとえば発泡金属で構成するとよい。ここでいう発泡金属とは、スポンジなどの樹脂発泡体と同じ三次元網目状構造を持つ多孔質体の金属であり、金属多孔質体の中で気孔率（空隙率）が最も大きい（８０％〜９７％）ものである。この発泡金属を通して、液冷媒を流通させると、三次元的な網目状構造の影響で、冷媒中のガスが微細化されて攪拌され、ガス冷媒と液冷媒とを均一に混ざり合わせることができるという効果を奏する。
また、流入管４１の内径をＤとし、流出管４２の中心軸から攪拌装置４６までの長さをＬとし、Ｄの値を固定してＬの値を変化させたとき、Ｌ／Ｄの値が８〜１０となる長さを冷媒が流れると、攪拌装置４６で攪拌（乱れを発生）させた影響がなくなってしまい、ガス冷媒と液冷媒との分離が発生することが流体力学の分野で明らかになっている。
そこで、攪拌装置４６をＬ／Ｄが６以下となる位置に設けるとよい。これにより、攪拌装置４６が攪拌した液冷媒が攪拌された状態のまま絞り部４３に到達するため、圧力が不安定になることをより一層抑制することができる。
【００３９】
吸入インジェクション配管４ｃは、圧縮機１０にインジェクションする場合に冷媒が流れる配管である。吸入インジェクション配管４ｃは、一方が分岐配管４ｄに接続され、他方がアキュムレーター１９と圧縮機１０とを接続する冷媒配管４に接続されている。吸入インジェクション配管４ｃには、絞り装置１４ｂが設けられている。
分岐配管４ｄは、圧縮機１０にインジェクションする場合に、冷媒を吸入インジェクション配管４ｃに導くための配管である。分岐配管４ｄは、分岐部２７ａ、分岐部２７ｂ、及び吸入インジェクション配管４ｃに接続されている。分岐配管４ｄには、逆流防止装置２０及び開閉装置２４が設けられている。
【００４０】
制御装置５０は、マイコンなどで構成されており、各種検出装置での検出情報及びリモコンからの指示に基づいて、制御を行うもので、上述のアクチュエータの制御の他に、圧縮機１０の駆動周波数、熱源側熱交換器１２に付設される送風機の回転数（ＯＮ／ＯＦＦ含む）、開閉装置２４の開閉、絞り装置１４の開度（絞り量）、第１冷媒流路切替装置１１の切り替え、及び熱媒体変換機３及び室内機２に設けられた各種機器などを制御し、後述する各運転モードを実行するようになっている。
この制御装置５０は、全冷房運転モード及び冷房主体運転モード時には、開閉装置２４を開き、絞り装置１４ｂの開度を調整することで、インジェクションする冷媒の流量を制御可能となっている。また、制御装置５０は、全暖房運転モード及び暖房主体運転モード時には、開閉装置２４を閉じ、絞り装置１４ａ及び絞り装置１４ｂの開度を調整することで、インジェクションする冷媒の流量を制御可能となっている。そして、圧縮機１０にインジェクションを行うことで、圧縮機１０から吐出される冷媒の温度を低減することができる。なお、具体的な制御動作については、後述の各運転モードの動作説明において説明を行う。
【００４１】
なお、インジェクションする場合において、絞り装置１４ａについては、制御装置５０が、全暖房運転モード及び暖房主体運転モード時において、中圧検出装置３２で検出した中圧が一定値（目標値）になるように、又は目標範囲に収まるように絞り装置１４ａの開度を制御すると、絞り装置１４ｂによる吐出温度の制御が安定する。
より詳細には、制御装置５０は、中圧検出装置３２の検出圧力、或いは中圧検出装置３２の検出温度の飽和圧力、又は中圧検出装置３２の検出温度、或いは中圧検出装置３２の検出圧力の飽和温度が、一定値（目標値）になるように、又は目標範囲に収まるように絞り装置１４ａの開度を制御すれば、絞り装置１４ｂによる吐出温度の制御が安定するということである。
【００４２】
また、インジェクションする場合において、絞り装置１４ｂについては、制御装置５０が、吐出冷媒温度検出装置３７が検出する圧縮機１０の吐出温度が高くなり過ぎないように絞り装置１４ｂの開口面積を制御するとよい。
より詳細には、吐出温度が一定値（例えば１１０℃など）を超えたと判断したときに、一定の開度分、たとえば１０パルスずつ、絞り装置１４ｂが開くように制御してもよいし、吐出温度が目標値（例えば１００℃）になるように、絞り装置１４ｂの開度を制御するようにしてもよいし、吐出温度が目標値（例えば１００℃）以下になるように制御してもよいし、吐出温度が目標の範囲内（例えば９０℃から１００℃の間）に入るように制御してもよい。
さらに、制御装置５０は、吐出冷媒温度検出装置３７の検出温度と高圧検出装置３９の検出圧力から、圧縮機１０の吐出過熱度を求め、吐出過熱度が目標値（例えば４０℃）になるように、絞り装置１４ｂの開度を制御するようにしてもよいし、吐出過熱度が目標値（例えば４０℃）以下になるように制御してもよいし、吐出過熱度が目標の範囲内（例えば２０℃から４０℃の間）に入るように制御してもよい。
【００４３】
［室内機２］
室内機２には、それぞれ利用側熱交換器２６が搭載されている。この利用側熱交換器２６は、配管５によって熱媒体変換機３の熱媒体流量調整装置２５と第２熱媒体流路切替装置２３に接続するようになっている。この利用側熱交換器２６は、図示省略のファンなどの送風機から供給される空気と熱媒体との間で熱交換を行ない、室内空間７に供給するための暖房用空気あるいは冷房用空気を生成するものである。
【００４４】
この図２では、４台の室内機２が熱媒体変換機３に接続されている場合を例に示しており、紙面下から室内機２ａ、室内機２ｂ、室内機２ｃ、室内機２ｄとして図示している。また、室内機２ａ〜室内機２ｄに応じて、利用側熱交換器２６も、紙面下側から利用側熱交換器２６ａ、利用側熱交換器２６ｂ、利用側熱交換器２６ｃ、利用側熱交換器２６ｄとして図示している。なお、図１と同様に、室内機２の接続台数を図２に示す４台に限定するものではない。
【００４５】
［熱媒体変換機３］
熱媒体変換機３には、２つの熱媒体間熱交換器１５と、２つの絞り装置１６と、２つの開閉装置１７と、２つの第２冷媒流路切替装置１８と、２つのポンプ２１と、４つの第１熱媒体流路切替装置２２と、４つの第２熱媒体流路切替装置２３と、４つの熱媒体流量調整装置２５と、が搭載されている。
【００４６】
２つの熱媒体間熱交換器１５（熱媒体間熱交換器１５ａ、熱媒体間熱交換器１５ｂ）は、凝縮器（放熱器）又は蒸発器として機能し、冷媒と熱媒体とで熱交換を行ない、室外機１で生成され冷媒に貯えられた冷熱又は温熱を熱媒体に伝達するものである。熱媒体間熱交換器１５ａは、冷媒循環回路Ａにおける絞り装置１６ａと第２冷媒流路切替装置１８ａとの間に設けられており、全冷房運転モード時の熱媒体の冷却、全暖房運転モード時の熱媒体の加熱、及び冷房暖房混在運転モード時において熱媒体の冷却に供するものである。また、熱媒体間熱交換器１５ｂは、冷媒循環回路Ａにおける絞り装置１６ｂと第２冷媒流路切替装置１８ｂとの間に設けられており、全冷房運転モード時の熱媒体の冷却、全暖房運転モード時の熱媒体の加熱、及び冷房暖房混在運転モード時において熱媒体の加熱に供するものである。
【００４７】
２つの絞り装置１６（絞り装置１６ａ、絞り装置１６ｂ）は、減圧弁や膨張弁としての機能を有し、冷媒を減圧して膨張させるものである。絞り装置１６ａは、冷房運転時の冷媒の流れにおいて熱媒体間熱交換器１５ａの上流側に設けられている。絞り装置１６ｂは、冷房運転時の冷媒の流れにおいて熱媒体間熱交換器１５ｂの上流側に設けられている。２つの絞り装置１６は、開度が可変に制御可能なもの、たとえば電子式膨張弁などで構成するとよい。
【００４８】
２つの開閉装置１７（開閉装置１７ａ、開閉装置１７ｂ）は、二方弁などで構成されており、冷媒配管４を開閉するものである。開閉装置１７ａは、冷媒の入口側における冷媒配管４に設けられている。開閉装置１７ｂは、冷媒の入口側と出口側の冷媒配管４を接続した配管に設けられている。２つの第２冷媒流路切替装置１８（第２冷媒流路切替装置１８ａ、第２冷媒流路切替装置１８ｂ）は、四方弁などで構成され、運転モードに応じて冷媒の流れを切り替えるものである。第２冷媒流路切替装置１８ａは、冷房運転時の冷媒の流れにおいて熱媒体間熱交換器１５ａの下流側に設けられている。第２冷媒流路切替装置１８ｂは、全冷房運転時の冷媒の流れにおいて熱媒体間熱交換器１５ｂの下流側に設けられている。
【００４９】
２つのポンプ２１（ポンプ２１ａ、ポンプ２１ｂ）は、配管５を導通する熱媒体を循環させるものである。ポンプ２１ａは、熱媒体間熱交換器１５ａと第２熱媒体流路切替装置２３との間における配管５に設けられている。ポンプ２１ｂは、熱媒体間熱交換器１５ｂと第２熱媒体流路切替装置２３との間における配管５に設けられている。２つのポンプ２１は、たとえば容量制御可能なポンプなどで構成するとよい。
【００５０】
４つの第１熱媒体流路切替装置２２（第１熱媒体流路切替装置２２ａ〜第１熱媒体流路切替装置２２ｄ）は、三方弁などで構成されており、熱媒体の流路を切り替えるものである。第１熱媒体流路切替装置２２は、室内機２の設置台数に応じた個数（ここでは４つ）が設けられるようになっている。第１熱媒体流路切替装置２２は、三方のうちの一つが熱媒体間熱交換器１５ａに、三方のうちの一つが熱媒体間熱交換器１５ｂに、三方のうちの一つが熱媒体流量調整装置２５に、それぞれ接続され、利用側熱交換器２６の熱媒体流路の出口側に設けられている。なお、室内機２に対応させて、紙面下側から第１熱媒体流路切替装置２２ａ、第１熱媒体流路切替装置２２ｂ、第１熱媒体流路切替装置２２ｃ、第１熱媒体流路切替装置２２ｄとして図示している。
【００５１】
４つの第２熱媒体流路切替装置２３（第２熱媒体流路切替装置２３ａ〜第２熱媒体流路切替装置２３ｄ）は、三方弁などで構成されており、熱媒体の流路を切り替えるものである。第２熱媒体流路切替装置２３は、室内機２の設置台数に応じた個数（ここでは４つ）が設けられるようになっている。第２熱媒体流路切替装置２３は、三方のうちの一つが熱媒体間熱交換器１５ａに、三方のうちの一つが熱媒体間熱交換器１５ｂに、三方のうちの一つが利用側熱交換器２６に、それぞれ接続され、利用側熱交換器２６の熱媒体流路の入口側に設けられている。なお、室内機２に対応させて、紙面下側から第２熱媒体流路切替装置２３ａ、第２熱媒体流路切替装置２３ｂ、第２熱媒体流路切替装置２３ｃ、第２熱媒体流路切替装置２３ｄとして図示している。
【００５２】
４つの熱媒体流量調整装置２５（熱媒体流量調整装置２５ａ〜熱媒体流量調整装置２５ｄ）は、開口面積を制御できる二方弁などで構成されており、配管５に流れる流量を制御するものである。熱媒体流量調整装置２５は、室内機２の設置台数に応じた個数（ここでは４つ）が設けられるようになっている。熱媒体流量調整装置２５は、一方が利用側熱交換器２６に、他方が第１熱媒体流路切替装置２２に、それぞれ接続され、利用側熱交換器２６の熱媒体流路の出口側に設けられている。なお、室内機２に対応させて、紙面下側から熱媒体流量調整装置２５ａ、熱媒体流量調整装置２５ｂ、熱媒体流量調整装置２５ｃ、熱媒体流量調整装置２５ｄとして図示している。また、熱媒体流量調整装置２５を利用側熱交換器２６の熱媒体流路の入口側に設けてもよい。
【００５３】
また、熱媒体変換機３には、各種検出装置（２つの第１温度センサー３１、４つの第２温度センサー３４、４つの第３温度センサー３５、及び、１つの圧力センサー３６）が設けられている。これらの検出装置で検出された情報（温度情報、圧力情報）は、空気調和装置１００の動作を統括制御する制御装置（図示省略）に送られ、圧縮機１０の駆動周波数、図示省略の送風機の回転数、第１冷媒流路切替装置１１の切り替え、ポンプ２１の駆動周波数、第２冷媒流路切替装置１８の切り替え、熱媒体の流路の切替などの制御に利用されることになる。
【００５４】
２つの第１温度センサー３１（第１温度センサー３１ａ、第１温度センサー３１ｂ）は、熱媒体間熱交換器１５から流出した熱媒体、つまり熱媒体間熱交換器１５の出口における熱媒体の温度を検出するものであり、たとえばサーミスターなどで構成するとよい。第１温度センサー３１ａは、ポンプ２１ａの入口側における配管５に設けられている。第１温度センサー３１ｂは、ポンプ２１ｂの入口側における配管５に設けられている。
【００５５】
４つの第２温度センサー３４（第２温度センサー３４ａ〜第２温度センサー３４ｄ）は、第１熱媒体流路切替装置２２と熱媒体流量調整装置２５との間に設けられ、利用側熱交換器２６から流出した熱媒体の温度を検出するものであり、サーミスターなどで構成するとよい。第２温度センサー３４は、室内機２の設置台数に応じた個数（ここでは４つ）が設けられるようになっている。なお、室内機２に対応させて、紙面下側から第２温度センサー３４ａ、第２温度センサー３４ｂ、第２温度センサー３４ｃ、第２温度センサー３４ｄとして図示している。
【００５６】
４つの第３温度センサー３５（第３温度センサー３５ａ〜第３温度センサー３５ｄ）は、熱媒体間熱交換器１５の冷媒の入口側または出口側に設けられ、熱媒体間熱交換器１５に流入する冷媒の温度または熱媒体間熱交換器１５から流出した冷媒の温度を検出するものであり、サーミスターなどで構成するとよい。第３温度センサー３５ａは、熱媒体間熱交換器１５ａと第２冷媒流路切替装置１８ａとの間に設けられている。第３温度センサー３５ｂは、熱媒体間熱交換器１５ａと絞り装置１６ａとの間に設けられている。第３温度センサー３５ｃは、熱媒体間熱交換器１５ｂと第２冷媒流路切替装置１８ｂとの間に設けられている。第３温度センサー３５ｄは、熱媒体間熱交換器１５ｂと絞り装置１６ｂとの間に設けられている。
【００５７】
圧力センサー３６は、第３温度センサー３５ｄの設置位置と同様に、熱媒体間熱交換器１５ｂと絞り装置１６ｂとの間に設けられ、熱媒体間熱交換器１５ｂと絞り装置１６ｂとの間を流れる冷媒の圧力を検出するものである。
【００５８】
また、図示省略の熱媒体変換機３に備えられた制御装置は、マイコンなどで構成されており、各種検出装置での検出情報及びリモコンからの指示に基づいて、ポンプ２１の駆動、絞り装置１６の開度、開閉装置１７の開閉、第２冷媒流路切替装置１８の切り替え、第１熱媒体流路切替装置２２の切り替え、第２熱媒体流路切替装置２３の切り替え、及び、熱媒体流量調整装置２５の開度などを制御し、後述する各運転モードを実行するようになっている。なお、室外機１と熱媒体変換機３の両方の動作を制御する制御装置を、室外機１と熱媒体変換機３のいずれかのみに設けるようにしてもよい。
【００５９】
熱媒体を導通する配管５は、熱媒体間熱交換器１５ａに接続されるものと、熱媒体間熱交換器１５ｂに接続されるものと、で構成されている。配管５は、熱媒体変換機３に接続される室内機２の台数に応じて分岐（ここでは、各４分岐）されている。そして、配管５は、第１熱媒体流路切替装置２２、及び、第２熱媒体流路切替装置２３で接続されている。第１熱媒体流路切替装置２２及び第２熱媒体流路切替装置２３を制御することで、熱媒体間熱交換器１５ａからの熱媒体を利用側熱交換器２６に流入させるか、熱媒体間熱交換器１５ｂからの熱媒体を利用側熱交換器２６に流入させるかが決定されるようになっている。
【００６０】
そして、空気調和装置１００では、圧縮機１０、第１冷媒流路切替装置１１、熱源側熱交換器１２、開閉装置１７、第２冷媒流路切替装置１８、熱媒体間熱交換器１５ａの冷媒流路、絞り装置１６、及び、アキュムレーター１９を、冷媒配管４で接続して冷媒循環回路Ａを構成している。また、熱媒体間熱交換器１５ａの熱媒体流路、ポンプ２１、第１熱媒体流路切替装置２２、熱媒体流量調整装置２５、利用側熱交換器２６、及び、第２熱媒体流路切替装置２３を、配管５で接続して熱媒体循環回路Ｂを構成している。つまり、熱媒体間熱交換器１５のそれぞれに複数台の利用側熱交換器２６が並列に接続され、熱媒体循環回路Ｂを複数系統としているのである。
【００６１】
よって、空気調和装置１００では、室外機１と熱媒体変換機３とが、熱媒体変換機３に設けられている熱媒体間熱交換器１５ａ及び熱媒体間熱交換器１５ｂを介して接続され、熱媒体変換機３と室内機２とも、熱媒体間熱交換器１５ａ及び熱媒体間熱交換器１５ｂを介して接続されている。すなわち、空気調和装置１００では、熱媒体間熱交換器１５ａ及び熱媒体間熱交換器１５ｂで冷媒循環回路Ａを循環する冷媒と熱媒体循環回路Ｂを循環する熱媒体とが熱交換するようになっている。
【００６２】
次に、空気調和装置１００が実行する各運転モードについて説明する。この空気調和装置１００は、各室内機２からの指示に基づいて、その室内機２で冷房運転あるいは暖房運転が可能になっている。つまり、空気調和装置１００は、室内機２の全部で同一運転をすることができるとともに、室内機２のそれぞれで異なる運転をすることができるようになっている。
【００６３】
空気調和装置１００が実行する運転モードには、駆動している室内機２の全てが冷房運転を実行する全冷房運転モード、駆動している室内機２の全てが暖房運転を実行する全暖房運転モード、冷房負荷の方が大きい冷房主体運転モード、及び、暖房負荷の方が大きい暖房主体運転モードがある。以下に、各運転モードについて、冷媒及び熱媒体の流れとともに説明する。
【００６４】
［全冷房運転モード］
図３は、図２に示す空気調和装置１００の全冷房運転時の冷媒及び熱媒体の流れを説明する図である。この図３では、利用側熱交換器２６ａ及び利用側熱交換器２６ｂでのみ冷熱負荷が発生している場合を例に全冷房運転モードについて説明する。なお、図３では、太線で表された配管が冷媒（冷媒及び熱媒体）の流れる配管を示している。また、図３では、冷媒の流れ方向を実線矢印で、熱媒体の流れ方向を破線矢印で示している。
【００６５】
図３に示す全冷房運転モードの場合、室外機１では、第１冷媒流路切替装置１１を、圧縮機１０から吐出された冷媒を熱源側熱交換器１２へ流入させるように切り替える。熱媒体変換機３では、ポンプ２１ａ及びポンプ２１ｂを駆動させ、熱媒体流量調整装置２５ａ及び熱媒体流量調整装置２５ｂを開放し、熱媒体流量調整装置２５ｃ及び熱媒体流量調整装置２５ｄを全閉とし、熱媒体間熱交換器１５ａ及び熱媒体間熱交換器１５ｂのそれぞれと利用側熱交換器２６ａ及び利用側熱交換器２６ｂとの間を熱媒体が循環するようにしている。
【００６６】
まず始めに、冷媒循環回路Ａにおける冷媒の流れについて説明する。
低温低圧の冷媒が圧縮機１０によって圧縮され、高温高圧のガス冷媒となって吐出される。圧縮機１０から吐出された高温高圧のガス冷媒は、第１冷媒流路切替装置１１を介して熱源側熱交換器１２に流入する。そして、熱源側熱交換器１２で室外空気に放熱しながら凝縮液化し、高圧の液冷媒となる。熱源側熱交換器１２から流出した高圧の液冷媒は、逆止弁１３ａを通って、分岐部２７ａを介して、室外機１から流出し、冷媒配管４を通って熱媒体変換機３に流入する。熱媒体変換機３に流入した高圧の気液２相冷媒は、開閉装置１７ａを経由した後に分岐されて絞り装置１６ａ及び絞り装置１６ｂで膨張させられて、低温低圧の二相冷媒となる。
【００６７】
この二相冷媒は、蒸発器として作用する熱媒体間熱交換器１５ａ及び熱媒体間熱交換器１５ｂのそれぞれに流入し、熱媒体循環回路Ｂを循環する熱媒体から吸熱することで、熱媒体を冷却しながら、低温低圧のガス冷媒となる。熱媒体間熱交換器１５ａ及び熱媒体間熱交換器１５ｂから流出したガス冷媒は、第２冷媒流路切替装置１８ａ及び第２冷媒流路切替装置１８ｂを介して熱媒体変換機３から流出し、冷媒配管４を通って再び室外機１へ流入する。室外機１に流入した冷媒は、分岐部２７ｂを介して、逆止弁１３ｄを通って、第１冷媒流路切替装置１１及びアキュムレーター１９を介して、圧縮機１０へ再度吸入される。
【００６８】
このとき、絞り装置１６ａは、第３温度センサー３５ａで検出された温度と第３温度センサー３５ｂで検出された温度との差として得られるスーパーヒート（過熱度）が一定になるように開度が制御される。同様に、絞り装置１６ｂは、第３温度センサー３５ｃで検出された温度と第３温度センサー３５ｄで検出された温度との差として得られるスーパーヒートが一定になるように開度が制御される。また、開閉装置１７ａは開、開閉装置１７ｂは閉となっている。
【００６９】
［全冷房運転モードのｐ−ｈ線図］
図４は、図３に示す全冷房運転時におけるｐ−ｈ線図（圧力−エンタルピ線図）である。このモードでのインジェクションの動作を図３及び図４のｐ−ｈ線図により説明する。
圧縮機１０に吸入され、圧縮機１０で圧縮された冷媒は、熱源側熱交換器１２にて凝縮されて高圧の液冷媒となる（図４の点Ｊ）。この高圧の液冷媒は、逆止弁１３ａを介して、分岐部２７ａに至る。
【００７０】
インジェクションを行う場合には、開閉装置２４を開とし、分岐部２７ａで分岐した高圧の液冷媒の一部を、開閉装置２４及び分岐配管４ｄを介して、吸入インジェクション配管４ｃに流入させる。吸入インジェクション配管４ｃに流入した高圧の液冷媒は、絞り装置１４ｂによって減圧されて低温低圧の気液２相冷媒となり（図４の点Ｋ）、圧縮機１０とアキュムレーター１９とをつなぐ冷媒配管に流入する。
また、分岐部２７ａで分岐した高圧の液冷媒の残りは、熱媒体変換機３に流入し、絞り装置１６で減圧させられて低圧の気液２相冷媒となり、さらに、蒸発器として機能する熱媒体間熱交換器１５に流入して低温低圧のガス冷媒となる。その後、この低温低圧のガス冷媒は、室外機１に流入して、アキュムレーター１９に流入する。
【００７１】
吸入インジェクション配管４ｃから流出した低温低圧の気液２相冷媒と、アキュムレーター１９から流出した低温低圧のガス冷媒とは、圧縮機１０の吸入側に接続される冷媒配管４で合流し（図４の点Ｈ）、圧縮機１０に吸入される。この合流して生成された低温低圧の気液２相冷媒は、圧縮機１０の密閉容器及びモータで加熱されて蒸発し、インジェクションを行わない場合よりも温度の低い低温低圧のガス冷媒になり、圧縮機１０の圧縮室に吸入され、再び圧縮機１０から吐出される（図４の点Ｉ）。
【００７２】
なお、インジェクションを行わない場合には、開閉装置２４を閉とし、分岐部２７ａで分岐した高圧の液冷媒は、絞り装置１６で減圧させられて低圧の気液２相冷媒となり、蒸発器として機能する熱媒体間熱交換器１５に流入して低温低圧のガス冷媒となり、アキュムレーター１９を介して圧縮機１０に吸入される（図４の点Ｆ）この低温低圧のガス冷媒は、圧縮機１０の密閉容器及びモータで加熱され、インジェクションを行う場合よりも温度の高い低温低圧のガス冷媒となり、圧縮機１０の圧縮室に吸入され、再び圧縮機１０から吐出される（図４の点Ｇ）。
【００７３】
そして、インジェクションを行う場合の圧縮機１０から吐出される冷媒温度（図４の点Ｉ）は、インジェクションを行わない場合の圧縮機１０から吐出される冷媒温度（図４の点Ｇ）に対して低下している。このように、空気調和装置１００は、圧縮機１０の吐出温度が高温になる冷媒（たとえばＲ３２など）を採用しても、圧縮機１０の吐出温度を低下させることができ、空気調和装置１００の動作安定性を向上させることができる。
【００７４】
なお、分岐配管４ｄの開閉装置２４から逆流防止装置２０に至る流路の冷媒は高圧冷媒であり、熱媒体変換機３から冷媒配管４を経由して室外機１に戻り、分岐部２７ｂに至る冷媒は低圧冷媒である。逆流防止装置２０の作用により、分岐配管４ｄの高圧冷媒が分岐部２７ｂの低圧冷媒と混合することが防止されている。絞り装置１４ａは、冷媒が流れないので、任意の開度に設定しておいてよい。絞り装置１４ｂは、吐出冷媒温度検出装置３７が検出する圧縮機１０の吐出温度が高くなり過ぎないように、開度（絞り量）を制御するとよい。
【００７５】
次に、熱媒体循環回路Ｂにおける熱媒体の流れについて説明する。
全冷房運転モードでは、熱媒体間熱交換器１５ａ及び熱媒体間熱交換器１５ｂの双方で冷媒の冷熱が熱媒体に伝えられ、冷やされた熱媒体がポンプ２１ａ及びポンプ２１ｂによって配管５内を流動させられることになる。ポンプ２１ａ及びポンプ２１ｂで加圧されて流出した熱媒体は、第２熱媒体流路切替装置２３ａ及び第２熱媒体流路切替装置２３ｂを介して、利用側熱交換器２６ａ及び利用側熱交換器２６ｂに流入する。そして、熱媒体が利用側熱交換器２６ａ及び利用側熱交換器２６ｂで室内空気から吸熱することで、室内空間７の冷房を行なう。
【００７６】
それから、熱媒体は、利用側熱交換器２６ａ及び利用側熱交換器２６ｂから流出して熱媒体流量調整装置２５ａ及び熱媒体流量調整装置２５ｂに流入する。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。熱媒体流量調整装置２５ａ及び熱媒体流量調整装置２５ｂから流出した熱媒体は、第１熱媒体流路切替装置２２ａ及び第１熱媒体流路切替装置２２ｂを通って、熱媒体間熱交換器１５ａ及び熱媒体間熱交換器１５ｂへ流入し、再びポンプ２１ａ及びポンプ２１ｂへ吸い込まれる。
【００７７】
なお、利用側熱交換器２６の配管５内では、第２熱媒体流路切替装置２３から熱媒体流量調整装置２５を経由して第１熱媒体流路切替装置２２へ至る向きに熱媒体が流れている。また、室内空間７にて必要とされる空調負荷は、第１温度センサー３１ａで検出された温度、あるいは、第１温度センサー３１ｂで検出された温度と第２温度センサー３４で検出された温度との差を目標値に保つように制御することにより、賄うことができる。熱媒体間熱交換器１５の出口温度は、第１温度センサー３１ａまたは第１温度センサー３１ｂのどちらの温度を使用してもよいし、これらの平均温度を使用してもよい。このとき、第１熱媒体流路切替装置２２及び第２熱媒体流路切替装置２３は、熱媒体間熱交換器１５ａ及び熱媒体間熱交換器１５ｂの双方へ流れる流路が確保されるように、中間的な開度にしている。
【００７８】
全冷房運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図７においては、利用側熱交換器２６ａ及び利用側熱交換器２６ｂにおいては熱負荷があるため熱媒体を流しているが、利用側熱交換器２６ｃ及び利用側熱交換器２６ｄにおいては熱負荷がなく、対応する熱媒体流量調整装置２５ｃ及び熱媒体流量調整装置２５ｄを全閉としている。そして、利用側熱交換器２６ｃや利用側熱交換器２６ｄから熱負荷の発生があった場合には、熱媒体流量調整装置２５ｃや熱媒体流量調整装置２５ｄを開放し、熱媒体を循環させればよい。
【００７９】
［全暖房運転モード］
図５は、図２に示す空気調和装置１００の全暖房運転時の冷媒及び熱媒体の流れを説明する図である。この図５では、利用側熱交換器２６ａ及び利用側熱交換器２６ｂでのみ温熱負荷が発生している場合を例に全暖房運転モードについて説明する。なお、図５では、太線で表された配管が冷媒（冷媒及び熱媒体）の流れる配管を示している。また、図５では、冷媒の流れ方向を実線矢印で、熱媒体の流れ方向を破線矢印で示している。
【００８０】
図５に示す全暖房運転モードの場合、室外機１では、第１冷媒流路切替装置１１を、圧縮機１０から吐出された冷媒を熱源側熱交換器１２を経由させずに熱媒体変換機３へ流入させるように切り替える。熱媒体変換機３では、ポンプ２１ａ及びポンプ２１ｂを駆動させ、熱媒体流量調整装置２５ａ及び熱媒体流量調整装置２５ｂを開放し、熱媒体流量調整装置２５ｃ及び熱媒体流量調整装置２５ｄを全閉とし、熱媒体間熱交換器１５ａ及び熱媒体間熱交換器１５ｂのそれぞれと利用側熱交換器２６ａ及び利用側熱交換器２６ｂとの間を熱媒体が循環するようにしている。
【００８１】
まず始めに、冷媒循環回路Ａにおける冷媒の流れについて説明する。
低温低圧の冷媒が圧縮機１０によって圧縮され、高温高圧のガス冷媒となって吐出される。圧縮機１０から吐出された高温高圧のガス冷媒は、第１冷媒流路切替装置１１を通り、第１接続配管４ａを導通し、逆止弁１３ｂ、分岐部２７ａを通過し、室外機１から流出する。室外機１から流出した高温高圧のガス冷媒は、冷媒配管４を通って熱媒体変換機３に流入する。熱媒体変換機３に流入した高温高圧のガス冷媒は、分岐されて第２冷媒流路切替装置１８ａ及び第２冷媒流路切替装置１８ｂを通って、熱媒体間熱交換器１５ａ及び熱媒体間熱交換器１５ｂのそれぞれに流入する。
【００８２】
熱媒体間熱交換器１５ａ及び熱媒体間熱交換器１５ｂに流入した高温高圧のガス冷媒は、熱媒体循環回路Ｂを循環する熱媒体に放熱しながら凝縮液化し、高圧の液冷媒となる。熱媒体間熱交換器１５ａ及び熱媒体間熱交換器１５ｂから流出した液冷媒は、絞り装置１６ａ及び絞り装置１６ｂで膨張させられて、中温中圧の二相冷媒となる。この二相冷媒は、開閉装置１７ｂを通って、熱媒体変換機３から流出し、冷媒配管４を通って再び室外機１へ流入する。室外機１に流入した冷媒は、分岐部２７ｂを介して、第２接続配管４ｂに流れ込んで絞り装置１４ａを通り、絞り装置１４ａにより絞られて、低温低圧の二相冷媒となり、逆止弁１３ｃを通過して、蒸発器として作用する熱源側熱交換器１２に流入する。
【００８３】
そして、熱源側熱交換器１２に流入した冷媒は、熱源側熱交換器１２で室外空気から吸熱して、低温低圧のガス冷媒となる。熱源側熱交換器１２から流出した低温低圧のガス冷媒は、第１冷媒流路切替装置１１及びアキュムレーター１９を介して圧縮機１０へ再度吸入される。
【００８４】
このとき、絞り装置１６ａは、圧力センサー３６で検出された圧力を飽和温度に換算した値と第３温度センサー３５ｂで検出された温度との差として得られるサブクール（過冷却度）が一定になるように開度が制御される。同様に、絞り装置１６ｂは、圧力センサー３６で検出された圧力を飽和温度に換算した値と第３温度センサー３５ｄで検出された温度との差として得られるサブクールが一定になるように開度が制御される。また、開閉装置１７ａは閉、開閉装置１７ｂは開となっている。なお、熱媒体間熱交換器１５の中間位置の温度が測定できる場合は、その中間位置での温度を圧力センサー３６の代わりに用いてもよく、安価にシステムを構成できる。
【００８５】
［全暖房運転モードのｐ−ｈ線図］
図６は、図５に示す全暖房運転時におけるｐ−ｈ線図である。このモードでのインジェクションの動作を図５及び図６のｐ−ｈ線図により説明する。
圧縮機１０に吸入され、圧縮機１０で圧縮された冷媒は、室外機１から流出して熱媒体変換機３の熱媒体間熱交換器１５で凝縮されて中温となり、絞り装置１６で減圧されて中圧となり（図６の点Ｊ）、熱媒体変換機３から冷媒配管４を経由して室外機１に流入する。室外機１に流入した中温中圧の２相冷媒は、分岐部２７ｂに至る。
【００８６】
インジェクションを行う場合には、絞り装置１４ｂを所定の開度で開き、分岐部２７ｂで分岐した中温中圧の冷媒の一部を、分岐配管４ｄを介して、吸入インジェクション配管４ｃに流入させる。吸入インジェクション配管４ｃに流入した中温中圧の冷媒は、絞り装置１４ｂによって減圧されて低温低圧の気液２相冷媒となり（図６の点Ｋ）、圧縮機１０とアキュムレーター１９とをつなぐ冷媒配管に流入する。
また、分岐部２７ｂで分岐した中温中圧の冷媒の残りは、絞り装置１４ａで減圧させられて低圧の気液２相冷媒となり、さらに、蒸発器として機能する熱源側熱交換器１２に流入して低温低圧の気液２相冷媒となる。その後、この低温低圧の気液２相冷媒はアキュムレーター１９に流入する。
【００８７】
吸入インジェクション配管４ｃから流出した低温低圧の気液２相冷媒と、アキュムレーター１９から流出した低温低圧の気液２相冷媒とは、圧縮機１０の吸入側に接続される冷媒配管４で合流し（図６の点Ｈ）、圧縮機１０に吸入される。この低温低圧の気液２相冷媒は、圧縮機１０の密閉容器及びモータで加熱されて蒸発し、インジェクションを行わない場合よりも温度の低い低温低圧のガス冷媒になり、圧縮機１０の圧縮室に吸入され、再び圧縮機１０から吐出される（図４の点Ｉ）。
【００８８】
なお、インジェクションを行わない場合には、絞り装置１４ｂを閉とし、分岐部２７ｂを通過した中温中圧の気液２相冷媒は、絞り装置１４ａで減圧させられて低圧の気液２相冷媒となり、蒸発器として機能する熱源側熱交換器１２に流入して低温低圧の気液２相冷媒となり、アキュムレーター１９を介して圧縮機１０に吸入される（図６の点Ｆ）。この低温低圧の気液２相冷媒は、圧縮機１０の密閉容器及びモータで加熱されて蒸発し、インジェクションを行う場合よりも温度の高い低温低圧のガス冷媒となり、圧縮機１０の圧縮室に吸入され、再び圧縮機１０から吐出される（図６の点Ｇ）。
【００８９】
そして、インジェクションを行う場合の圧縮機１０から吐出される冷媒温度（図６の点Ｉ）は、インジェクションを行わない場合の圧縮機１０から吐出される冷媒温度（図６の点Ｇ）に対して低下している。このように、空気調和装置１００は、圧縮機１０の吐出温度が高温になる冷媒（たとえばＲ３２など）を採用しても、圧縮機１０の吐出温度を低下させることができ、空気調和装置１００の動作安定性を向上させることができる。
【００９０】
なお、開閉装置２４を閉とし、分岐部２７ａから高圧状態の冷媒が、逆流防止装置２０を通って来た中圧状態の冷媒と混合するのを防止している。また、絞り装置１４ａは、中圧検出装置３２で検出した中圧が一定値になるように制御すれば、絞り装置１４ｂによる吐出温度の制御が安定する。さらに、絞り装置１４ｂは、吐出冷媒温度検出装置３７が検出する圧縮機１０の吐出温度が高くなり過ぎないように、開度（絞り量）が制御される。
【００９１】
また、全暖房運転モードにおいては、熱媒体間熱交換器１５ａ及び熱媒体間熱交換器１５ｂは、共に熱媒体を加熱しているため、絞り装置１６ａ及び絞り装置１６ｂがサブクールが制御できる範囲内であれば、絞り装置１４ａの上流側の冷媒の圧力（中圧）が高めになるように制御しても構わない。中圧が高めになるように制御すると、圧縮室内との圧力との差圧を大きくできるため、圧縮室の吸入側にインジェクションする冷媒の量を多くすることができ、外気温度が低い場合においても、吐出温度を低下させるために十分なインジェクション流量を圧縮機１０に供給することができる。
【００９２】
次に、熱媒体循環回路Ｂにおける熱媒体の流れについて説明する。
全暖房運転モードでは、熱媒体間熱交換器１５ａ及び熱媒体間熱交換器１５ｂの双方で冷媒の温熱が熱媒体に伝えられ、暖められた熱媒体がポンプ２１ａ及びポンプ２１ｂによって配管５内を流動させられることになる。ポンプ２１ａ及びポンプ２１ｂで加圧されて流出した熱媒体は、第２熱媒体流路切替装置２３ａ及び第２熱媒体流路切替装置２３ｂを介して、利用側熱交換器２６ａ及び利用側熱交換器２６ｂに流入する。そして、熱媒体が利用側熱交換器２６ａ及び利用側熱交換器２６ｂで室内空気に放熱することで、室内空間７の暖房を行なう。
【００９３】
それから、熱媒体は、利用側熱交換器２６ａ及び利用側熱交換器２６ｂから流出して熱媒体流量調整装置２５ａ及び熱媒体流量調整装置２５ｂに流入する。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。熱媒体流量調整装置２５ａ及び熱媒体流量調整装置２５ｂから流出した熱媒体は、第１熱媒体流路切替装置２２ａ及び第１熱媒体流路切替装置２２ｂを通って、熱媒体間熱交換器１５ａ及び熱媒体間熱交換器１５ｂへ流入し、再びポンプ２１ａ及びポンプ２１ｂへ吸い込まれる。
【００９４】
なお、利用側熱交換器２６の配管５内では、第２熱媒体流路切替装置２３から熱媒体流量調整装置２５を経由して第１熱媒体流路切替装置２２へ至る向きに熱媒体が流れている。また、室内空間７にて必要とされる空調負荷は、第１温度センサー３１ａで検出された温度、あるいは、第１温度センサー３１ｂで検出された温度と第２温度センサー３４で検出された温度との差を目標値に保つように制御することにより、賄うことができる。熱媒体間熱交換器１５の出口温度は、第１温度センサー３１ａまたは第１温度センサー３１ｂのどちらの温度を使用してもよいし、これらの平均温度を使用してもよい。
【００９５】
このとき、第１熱媒体流路切替装置２２及び第２熱媒体流路切替装置２３は、熱媒体間熱交換器１５ａ及び熱媒体間熱交換器１５ｂの双方へ流れる流路が確保されるように、中間的な開度にしている。また、本来、利用側熱交換器２６ａは、その入口と出口の温度差で制御すべきであるが、利用側熱交換器２６の入口側の熱媒体温度は、第１温度センサー３１ｂで検出された温度とほとんど同じ温度であり、第１温度センサー３１ｂを使用することにより温度センサーの数を減らすことができ、安価にシステムを構成できる。
【００９６】
全暖房運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図５においては、利用側熱交換器２６ａ及び利用側熱交換器２６ｂにおいては熱負荷があるため熱媒体を流しているが、利用側熱交換器２６ｃ及び利用側熱交換器２６ｄにおいては熱負荷がなく、対応する熱媒体流量調整装置２５ｃ及び熱媒体流量調整装置２５ｄを全閉としている。そして、利用側熱交換器２６ｃや利用側熱交換器２６ｄから熱負荷の発生があった場合には、熱媒体流量調整装置２５ｃや熱媒体流量調整装置２５ｄを開放し、熱媒体を循環させればよい。
【００９７】
［冷房主体運転モード］
図７は、図２に示す空気調和装置１００の冷房主体運転時の冷媒及び熱媒体の流れを説明する図である。この図７では、利用側熱交換器２６ａで冷熱負荷が発生し、利用側熱交換器２６ｂで温熱負荷が発生している場合を例に冷房主体運転モードについて説明する。なお、図７では、太線で表された配管が冷媒（冷媒及び熱媒体）の循環する配管を示している。また、図７では、冷媒の流れ方向を実線矢印で、熱媒体の流れ方向を破線矢印で示している。
【００９８】
図７に示す冷房主体運転モードの場合、室外機１では、第１冷媒流路切替装置１１を、圧縮機１０から吐出された冷媒を熱源側熱交換器１２へ流入させるように切り替える。熱媒体変換機３では、ポンプ２１ａ及びポンプ２１ｂを駆動させ、熱媒体流量調整装置２５ａ及び熱媒体流量調整装置２５ｂを開放し、熱媒体流量調整装置２５ｃ及び熱媒体流量調整装置２５ｄを全閉とし、熱媒体間熱交換器１５ａと利用側熱交換器２６ａとの間を、熱媒体間熱交換器１５ｂと利用側熱交換器２６ｂとの間を、それぞれ熱媒体が循環するようにしている。
【００９９】
まず始めに、冷媒循環回路Ａにおける冷媒の流れについて説明する。
低温低圧の冷媒が圧縮機１０によって圧縮され、高温高圧のガス冷媒となって吐出される。圧縮機１０から吐出された高温高圧のガス冷媒は、第１冷媒流路切替装置１１を介して熱源側熱交換器１２に流入する。そして、熱源側熱交換器１２で室外空気に放熱しながら凝縮し、二相冷媒となる。熱源側熱交換器１２から流出した二相冷媒は、逆止弁１３ａを通って、分岐部２７ａを介して、室外機１から流出し、冷媒配管４を通って熱媒体変換機３に流入する。熱媒体変換機３に流入した二相冷媒は、第２冷媒流路切替装置１８ｂを通って凝縮器として作用する熱媒体間熱交換器１５ｂに流入する。
【０１００】
熱媒体間熱交換器１５ｂに流入した二相冷媒は、熱媒体循環回路Ｂを循環する熱媒体に放熱しながら凝縮液化し、液冷媒となる。熱媒体間熱交換器１５ｂから流出した液冷媒は、絞り装置１６ｂで膨張させられて低圧二相冷媒となる。この低圧二相冷媒は、絞り装置１６ａを介して蒸発器として作用する熱媒体間熱交換器１５ａに流入する。熱媒体間熱交換器１５ａに流入した低圧二相冷媒は、熱媒体循環回路Ｂを循環する熱媒体から吸熱することで、熱媒体を冷却しながら、低圧のガス冷媒となる。このガス冷媒は、熱媒体間熱交換器１５ａから流出し、第２冷媒流路切替装置１８ａを介して熱媒体変換機３から流出し、冷媒配管４を通って再び室外機１へ流入する。室外機１に流入した冷媒は、分岐部２７ｂを介して、逆止弁１３ｄを通って、第１冷媒流路切替装置１１及びアキュムレーター１９を介して、圧縮機１０へ再度吸入される。
【０１０１】
このとき、絞り装置１６ｂは、第３温度センサー３５ａで検出された温度と第３温度センサー３５ｂで検出された温度との差として得られるスーパーヒートが一定になるように開度が制御される。また、絞り装置１６ａは全開、開閉装置１７ａ、１７ｂは閉となっている。なお、絞り装置１６ｂは、圧力センサー３６で検出された圧力を飽和温度に換算した値と第３温度センサー３５ｄで検出された温度との差として得られるサブクールが一定になるように開度を制御してもよい。また、絞り装置１６ｂを全開とし、絞り装置１６ａでスーパーヒートまたはサブクールを制御するようにしてもよい。
【０１０２】
［冷房主体運転モードのｐ−ｈ線図］
図８は、図７に示す冷房主体運転時におけるｐ−ｈ線図である。このモードでのインジェクションの動作を図７及び図８のｐ−ｈ線図により説明する。
圧縮機１０に吸入され、圧縮機１０で圧縮された冷媒は、熱源側熱交換器１２にて凝縮されて高圧の気液２相冷媒となる（図８の点Ｊ）。この高圧の気液２相冷媒は、逆止弁１３ａを介して、分岐部２７ａに至る。
【０１０３】
インジェクションを行う場合には、開閉装置２４を開とし、分岐部２７ａで分岐した高圧の気液２相冷媒の一部を、開閉装置２４及び分岐配管４ｄを介して、吸入インジェクション配管４ｃに流入させる。吸入インジェクション配管４ｃに流入した高圧の気液２相冷媒は、絞り装置１４ｂによって減圧されて低温低圧の気液２相冷媒となり（図８の点Ｋ）、圧縮機１０とアキュムレーター１９とをつなぐ冷媒配管に流入する。
また、分岐部２７ａで分岐した高圧の気液２相冷媒の残りは、熱媒体変換機３に流入して絞り装置１６で減圧させられて低圧の気液２相冷媒となり、さらに、蒸発器として機能する熱媒体間熱交換器１５に流入して低温低圧のガス冷媒となる。その後、この低温低圧のガス冷媒は、室外機１に戻りアキュムレーター１９に流入する。
【０１０４】
吸入インジェクション配管４ｃから流出した低温低圧の気液２相冷媒と、アキュムレーター１９から流出した低温低圧のガス冷媒とは、圧縮機１０の吸入側に接続される冷媒配管４で合流し（図８の点Ｈ）、圧縮機１０に吸入される。この合流して生成された低温低圧の気液２相冷媒は、圧縮機１０の密閉容器及びモータで加熱されて蒸発し、インジェクションを行わない場合よりも温度の低い低温低圧のガス冷媒になり、圧縮機１０の圧縮室に吸入され、再び圧縮機１０から吐出される（図８の点Ｉ）。
【０１０５】
なお、インジェクションを行わない場合には、開閉装置２４を閉とし、分岐部２７ａで分岐した高圧の気液２相冷媒は、凝縮器として機能する熱媒体間熱交換器１５ｂを介して絞り装置１６ｂ及び絞り装置１６ａに流入して低圧の気液２相冷媒となり、蒸発器として機能する熱媒体間熱交換器１５ａに流入して低温低圧の気液２相冷媒となる。その後、アキュムレーター１９を介して圧縮機１０に吸入される（図８の点Ｆ）。この低温低圧の気液２相冷媒は、圧縮機１０の密閉容器及びモータで加熱されて蒸発し、インジェクションを行う場合よりも温度の高い低温低圧のガス冷媒となり、圧縮機１０の圧縮室に吸入され、再び圧縮機１０から吐出される（図８の点Ｇ）。
【０１０６】
そして、インジェクションを行う場合の圧縮機１０から吐出される冷媒温度（図８の点Ｉ）は、インジェクションを行わない場合の圧縮機１０から吐出される冷媒温度（図８の点Ｇ）に対して低下している。このように、空気調和装置１００は、圧縮機１０の吐出温度が高温になる冷媒（たとえばＲ３２など）を採用しても、圧縮機１０の吐出温度を低下させることができ、空気調和装置１００の動作安定性を向上させることができる。
【０１０７】
なお、分岐配管４ｄの開閉装置２４から逆流防止装置２０に至る流路の冷媒は高圧冷媒であり、熱媒体変換機３から冷媒配管４を経由して室外機１に戻り、分岐部２７ｂに至る冷媒は低圧冷媒である。逆流防止装置２０の作用により、分岐配管４ｄの高圧冷媒が分岐部２７ｂの低圧冷媒と混合することが防止されている。絞り装置１４ａは、冷媒が流れないので、任意の開度に設定しておいてよい。絞り装置１４ｂは、吐出冷媒温度検出装置３７が検出する圧縮機１０の吐出温度が高くなり過ぎないように、開度（絞り量）を制御するとよい。
【０１０８】
次に、熱媒体循環回路Ｂにおける熱媒体の流れについて説明する。
冷房主体運転モードでは、熱媒体間熱交換器１５ｂで冷媒の温熱が熱媒体に伝えられ、暖められた熱媒体がポンプ２１ｂによって配管５内を流動させられることになる。また、冷房主体運転モードでは、熱媒体間熱交換器１５ａで冷媒の冷熱が熱媒体に伝えられ、冷やされた熱媒体がポンプ２１ａによって配管５内を流動させられることになる。ポンプ２１ａ及びポンプ２１ｂで加圧されて流出した熱媒体は、第２熱媒体流路切替装置２３ａ及び第２熱媒体流路切替装置２３ｂを介して、利用側熱交換器２６ａ及び利用側熱交換器２６ｂに流入する。
【０１０９】
利用側熱交換器２６ｂでは熱媒体が室内空気に放熱することで、室内空間７の暖房を行なう。また、利用側熱交換器２６ａでは熱媒体が室内空気から吸熱することで、室内空間７の冷房を行なう。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。利用側熱交換器２６ｂを通過し若干温度が低下した熱媒体は、熱媒体流量調整装置２５ｂ及び第１熱媒体流路切替装置２２ｂを通って、熱媒体間熱交換器１５ｂへ流入し、再びポンプ２１ｂへ吸い込まれる。利用側熱交換器２６ａを通過し若干温度が上昇した熱媒体は、熱媒体流量調整装置２５ａ及び第１熱媒体流路切替装置２２ａを通って、熱媒体間熱交換器１５ａへ流入し、再びポンプ２１ａへ吸い込まれる。
【０１１０】
この間、暖かい熱媒体と冷たい熱媒体とは、第１熱媒体流路切替装置２２及び第２熱媒体流路切替装置２３の作用により、混合することなく、それぞれ温熱負荷、冷熱負荷がある利用側熱交換器２６へ導入される。なお、利用側熱交換器２６の配管５内では、暖房側、冷房側ともに、第２熱媒体流路切替装置２３から熱媒体流量調整装置２５を経由して第１熱媒体流路切替装置２２へ至る向きに熱媒体が流れている。また、室内空間７にて必要とされる空調負荷は、暖房側においては第１温度センサー３１ｂで検出された温度と第２温度センサー３４で検出された温度との差を、冷房側においては第２温度センサー３４で検出された温度と第１温度センサー３１ａで検出された温度との差を目標値に保つように制御することにより、賄うことができる。
【０１１１】
冷房主体運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図７においては、利用側熱交換器２６ａ及び利用側熱交換器２６ｂにおいては熱負荷があるため熱媒体を流しているが、利用側熱交換器２６ｃ及び利用側熱交換器２６ｄにおいては熱負荷がなく、対応する熱媒体流量調整装置２５ｃ及び熱媒体流量調整装置２５ｄを全閉としている。そして、利用側熱交換器２６ｃや利用側熱交換器２６ｄから熱負荷の発生があった場合には、熱媒体流量調整装置２５ｃや熱媒体流量調整装置２５ｄを開放し、熱媒体を循環させればよい。
【０１１２】
［暖房主体運転モード］
図９は、図２に示す空気調和装置１００の全暖房運転時の冷媒及び熱媒体の流れを説明する図である。この図９では、利用側熱交換器２６ａで温熱負荷が発生し、利用側熱交換器２６ｂで冷熱負荷が発生している場合を例に暖房主体運転モードについて説明する。なお、図９では、太線で表された配管が冷媒（冷媒及び熱媒体）の循環する配管を示している。また、図９では、冷媒の流れ方向を実線矢印で、熱媒体の流れ方向を破線矢印で示している。
【０１１３】
図９に示す暖房主体運転モードの場合、室外機１では、第１冷媒流路切替装置１１を、圧縮機１０から吐出された冷媒を熱源側熱交換器１２を経由させずに熱媒体変換機３へ流入させるように切り替える。熱媒体変換機３では、ポンプ２１ａ及びポンプ２１ｂを駆動させ、熱媒体流量調整装置２５ａ及び熱媒体流量調整装置２５ｂを開放し、熱媒体流量調整装置２５ｃ及び熱媒体流量調整装置２５ｄを全閉とし、熱媒体間熱交換器１５ａ及び熱媒体間熱交換器１５ｂのそれぞれと利用側熱交換器２６ａ及び利用側熱交換器２６ｂとの間を熱媒体が循環するようにしている。
【０１１４】
まず始めに、冷媒循環回路Ａにおける冷媒の流れについて説明する。
低温低圧の冷媒が圧縮機１０によって圧縮され、高温高圧のガス冷媒となって吐出される。圧縮機１０から吐出された高温高圧のガス冷媒は、第１冷媒流路切替装置１１を通り、第１接続配管４ａを導通し、逆止弁１３ｂを通過し、分岐部２７ａを介して、室外機１から流出する。室外機１から流出した高温高圧のガス冷媒は、冷媒配管４を通って熱媒体変換機３に流入する。熱媒体変換機３に流入した高温高圧のガス冷媒は、第２冷媒流路切替装置１８ｂを通って凝縮器として作用する熱媒体間熱交換器１５ｂに流入する。
【０１１５】
熱媒体間熱交換器１５ｂに流入したガス冷媒は、熱媒体循環回路Ｂを循環する熱媒体に放熱しながら凝縮液化し、気液２相冷媒となる。熱媒体間熱交換器１５ｂから流出した気液２相冷媒は、絞り装置１６ｂで膨張させられて中圧二相冷媒となる。この中圧二相冷媒は、絞り装置１６ａを介して蒸発器として作用する熱媒体間熱交換器１５ａに流入する。熱媒体間熱交換器１５ａに流入した中圧二相冷媒は、熱媒体循環回路Ｂを循環する熱媒体から吸熱することで蒸発し、熱媒体を冷却する。この低圧二相冷媒は、熱媒体間熱交換器１５ａから流出し、第２冷媒流路切替装置１８ａを介して熱媒体変換機３から流出し、冷媒配管４を通って再び室外機１へ流入する。
【０１１６】
室外機１に流入した冷媒は、分岐部２７ｂを介して、第２接続配管４ｂに流れ込んで絞り装置１４ａを通り、絞り装置１４ａにより絞られて、低温低圧の二相冷媒となり、逆止弁１３ｃを通って、蒸発器として作用する熱源側熱交換器１２に流入する。そして、熱源側熱交換器１２に流入した冷媒は、熱源側熱交換器１２で室外空気から吸熱して、低温低圧のガス冷媒となる。熱源側熱交換器１２から流出した低温低圧のガス冷媒は、第１冷媒流路切替装置１１及びアキュムレーター１９を介して圧縮機１０へ再度吸入される。
【０１１７】
このとき、絞り装置１６ｂは、圧力センサー３６で検出された圧力を飽和温度に換算した値と第３温度センサー３５ｂで検出された温度との差として得られるサブクールが一定になるように開度が制御される。また、絞り装置１６ａは全開、開閉装置１７ａは閉、開閉装置１７ｂは閉となっている。なお、絞り装置１６ｂを全開とし、絞り装置１６ａでサブクールを制御するようにしてもよい。
【０１１８】
［暖房主体運転モードのｐ−ｈ線図］
図１０は、図９に示す暖房主体運転時におけるｐ−ｈ線図である。このモードでのインジェクションの動作を図９及び図１０のｐ−ｈ線図により説明する。
圧縮機１０に吸入され、圧縮機１０で圧縮された冷媒は、室外機１から流出して熱媒体変換機３の熱媒体間熱交換器１５ａで凝縮され、絞り装置１６ａ及び絞り装置１６ｂで減圧されて中圧となり、熱媒体間熱交換器１５ｂで蒸発して中温となり（図１０の点Ｊ）、熱媒体変換機３から冷媒配管４を経由して室外機１に流入する。室外機１に流入した中温中圧の冷媒は、分岐部２７ｂに至る。
【０１１９】
吸入インジェクションを行う場合には、絞り装置１４ｂを所定の開度で開き、分岐部２７ｂで分岐した中温中圧の気液２相冷媒の一部を、分岐配管４ｄを介して、吸入インジェクション配管４ｃに流入させる。吸入インジェクション配管４ｃに流入した中温中圧の冷媒は、絞り装置１４ｂによって減圧されて低温低圧の気液２相冷媒となり（図１０の点Ｋ）、圧縮機１０とアキュムレーター１９とをつなぐ冷媒配管に流入する。
また、分岐部２７ｂで分岐した中温中圧の気液２相冷媒の残りは、絞り装置１４ａで減圧させられて低圧の気液２相冷媒となり、さらに、蒸発器として機能する熱源側熱交換器１２に流入して低温低圧の気液２相冷媒となる。その後、この低温低圧の気液２相冷媒はアキュムレーター１９に流入する。
【０１２０】
吸入インジェクション配管４ｃから流出した低温低圧の気液２相冷媒と、アキュムレーター１９から流出した低温低圧の気液２相冷媒とは、圧縮機１０の吸入側に接続される冷媒配管４で合流し（図１０の点Ｈ）、圧縮機１０に吸入される。この低温低圧の気液２相冷媒は、圧縮機１０の密閉容器及びモータで加熱されて蒸発し、インジェクションを行わない場合よりも温度の低い低温低圧のガス冷媒になり、圧縮機１０の圧縮室に吸入され、再び圧縮機１０から吐出される（図１０の点Ｉ）。
【０１２１】
なお、インジェクションを行わない場合には、絞り装置１４ｂを閉とし、分岐部２７ｂを通過した中温中圧の気液２相冷媒は、絞り装置１４ａで減圧させられて低圧の気液２相冷媒となり、蒸発器として機能する熱源側熱交換器１２に流入して低温低圧の気液２相冷媒となり、アキュムレーター１９を介して圧縮機１０に吸入される（図１０の点Ｆ）。この低温低圧の気液２相冷媒は、圧縮機１０の密閉容器及びモータで加熱されて蒸発し、インジェクションを行う場合よりも温度の高い低温低圧のガス冷媒となり、圧縮機１０の圧縮室に吸入され、再び圧縮機１０から吐出される（図１０の点Ｇ）。
【０１２２】
そして、インジェクションを行う場合の圧縮機１０から吐出される冷媒温度（図１０の点Ｉ）は、インジェクションを行わない場合の圧縮機１０から吐出される冷媒温度（図１０の点Ｇ）に対して低下している。このように、空気調和装置１００は、圧縮機１０の吐出温度が高温になる冷媒（たとえばＲ３２など）を採用しても、圧縮機１０の吐出温度を低下させることができ、空気調和装置１００の動作安定性を向上させることができる。
【０１２３】
なお、開閉装置２４は閉となっており、分岐部２７ａから高圧状態の冷媒が、逆流防止装置２０を通って来た中圧状態の冷媒と混合するのを防止している。また、絞り装置１４ａは、中圧検出装置３２で検出した中圧が一定値になるように制御すれば、絞り装置１４ｂによる吐出温度の制御が安定する。さらに、絞り装置１４ｂは、吐出冷媒温度検出装置３７が検出する圧縮機１０の吐出温度が高くなり過ぎないように、開度（絞り量）が制御される。
【０１２４】
また、暖房主体運転モードでは、熱媒体間熱交換器１５ｂにおいて、熱媒体を冷やす必要があり、絞り装置１４ａの上流側の冷媒の圧力（中圧）をあまり高く制御することができない。中圧を高くすることができないと、圧縮機１０の吸入側にインジェクションする冷媒の流量が少なくなり、吐出温度の低下分が小さくなってしまう。しかし、熱媒体の凍結を防止する必要があるため、外気温度が低い時、例えば外気温度が−５℃以下、は、暖房主体運転モードには入らないようになっており、外気温度が高い時は、吐出温度があまり高くなく、吸入インジェクションの流量もそれほど多くなくてよいため、問題はない。絞り装置１４ａにより、熱媒体間熱交換器１５ｂでの熱媒体の冷却もでき、吸入インジェクション流量も吐出温度を低下させるために十分な量を供給できる中圧に設定することにより安全に運転することができる。
【０１２５】
次に、熱媒体循環回路Ｂにおける熱媒体の流れについて説明する。
暖房主体運転モードでは、熱媒体間熱交換器１５ｂで冷媒の温熱が熱媒体に伝えられ、暖められた熱媒体がポンプ２１ｂによって配管５内を流動させられることになる。また、暖房主体運転モードでは、熱媒体間熱交換器１５ａで冷媒の冷熱が熱媒体に伝えられ、冷やされた熱媒体がポンプ２１ａによって配管５内を流動させられることになる。ポンプ２１ａ及びポンプ２１ｂで加圧されて流出した熱媒体は、第２熱媒体流路切替装置２３ａ及び第２熱媒体流路切替装置２３ｂを介して、利用側熱交換器２６ａ及び利用側熱交換器２６ｂに流入する。
【０１２６】
利用側熱交換器２６ｂでは熱媒体が室内空気から吸熱することで、室内空間７の冷房を行なう。また、利用側熱交換器２６ａでは熱媒体が室内空気に放熱することで、室内空間７の暖房を行なう。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。利用側熱交換器２６ｂを通過し若干温度が上昇した熱媒体は、熱媒体流量調整装置２５ｂ及び第１熱媒体流路切替装置２２ｂを通って、熱媒体間熱交換器１５ａに流入し、再びポンプ２１ａへ吸い込まれる。利用側熱交換器２６ａを通過し若干温度が低下した熱媒体は、熱媒体流量調整装置２５ａ及び第１熱媒体流路切替装置２２ａを通って、熱媒体間熱交換器１５ｂへ流入し、再びポンプ２１ｂへ吸い込まれる。
【０１２７】
この間、暖かい熱媒体と冷たい熱媒体とは、第１熱媒体流路切替装置２２及び第２熱媒体流路切替装置２３の作用により、混合することなく、それぞれ温熱負荷、冷熱負荷がある利用側熱交換器２６へ導入される。なお、利用側熱交換器２６の配管５内では、暖房側、冷房側ともに、第２熱媒体流路切替装置２３から熱媒体流量調整装置２５を経由して第１熱媒体流路切替装置２２へ至る向きに熱媒体が流れている。また、室内空間７にて必要とされる空調負荷は、暖房側においては第１温度センサー３１ｂで検出された温度と第２温度センサー３４で検出された温度との差を、冷房側においては第２温度センサー３４で検出された温度と第１温度センサー３１ａで検出された温度との差を目標値に保つように制御することにより、賄うことができる。
【０１２８】
暖房主体運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図９においては、利用側熱交換器２６ａ及び利用側熱交換器２６ｂにおいては熱負荷があるため熱媒体を流しているが、利用側熱交換器２６ｃ及び利用側熱交換器２６ｄにおいては熱負荷がなく、対応する熱媒体流量調整装置２５ｃ及び熱媒体流量調整装置２５ｄを全閉としている。そして、利用側熱交換器２６ｃや利用側熱交換器２６ｄから熱負荷の発生があった場合には、熱媒体流量調整装置２５ｃや熱媒体流量調整装置２５ｄを開放し、熱媒体を循環させればよい。
【０１２９】
［本実施の形態１に係る空気調和装置１００の有する効果］
本実施の形態１に係る空気調和装置１００は、圧縮機１０の吸入側へ冷媒をインジェクションすることができるため、動作安定性が低減してしまうことを抑制することができる。
また、本実施の形態１に係る空気調和装置１００は、全暖房運転モード、全冷房運転モード、暖房主体運転モード、及び冷房主体運転モードにおいて、インジェクションすることができる。すなわち、空気調和装置１００は、たとえば冷房運転から暖房運転や冷暖房混在運転などに切り替えるなどをして、冷媒の流れを変更しても、インジェクションすることができるものである。
さらに、本実施の形態１に係る空気調和装置１００は、室外機１及び熱媒体変換機３における冷媒回路における改良が加えられることでインジェクションを可能としたものである。すなわち、空気調和装置１００は、室内機２に逆止弁などを設けるなどといった構成でなくとも、インジェクションすることが可能となっており、その分汎用性を向上させたものとなっている。
【０１３０】
［冷媒配管４］
室外機１と熱媒体変換機３とは冷媒配管４で接続され、冷媒配管４には冷媒が流れている。
【０１３１】
［配管５］
熱媒体変換機３と室内機２は（熱媒体）配管５で接続され、配管５には水や不凍液などの熱媒体が流れている。
【０１３２】
空気調和装置１００では、利用側熱交換器２６にて暖房負荷または冷房負荷のみが発生している場合は、対応する第１熱媒体流路切替装置２２及び第２熱媒体流路切替装置２３を中間の開度にし、熱媒体間熱交換器１５ａ及び熱媒体間熱交換器１５ｂの双方に熱媒体が流れるようにしている。これにより、熱媒体間熱交換器１５ａ及び熱媒体間熱交換器１５ｂの双方を暖房運転または冷房運転に使用することができるため、伝熱面積が大きくなり、効率のよい暖房運転または冷房運転を行なうことができる。
【０１３３】
また、利用側熱交換器２６にて暖房負荷と冷房負荷とが混在して発生している場合は、暖房運転を行なっている利用側熱交換器２６に対応する第１熱媒体流路切替装置２２及び第２熱媒体流路切替装置２３を加熱用の熱媒体間熱交換器１５ｂに接続される流路へ切り替え、冷房運転を行なっている利用側熱交換器２６に対応する第１熱媒体流路切替装置２２及び第２熱媒体流路切替装置２３を冷却用の熱媒体間熱交換器１５ａに接続される流路へ切り替えることにより、各室内機２にて、暖房運転、冷房運転を自由に行なうことができる。
【０１３４】
なお、第１熱媒体流路切替装置２２及び第２熱媒体流路切替装置２３は、三方弁などの三方流路を切り替えられるもの、開閉弁などの二方流路の開閉を行なうものを２つ組み合わせるなど、流路を切り替えられるものであればよい。また、ステッピングモーター駆動式の混合弁などの三方流路の流量を変化させられるもの、電子式膨張弁などの２方流路の流量を変化させられるものを２つ組み合わせるなどして第１熱媒体流路切替装置２２及び第２熱媒体流路切替装置２３として用いてもよい。この場合は、流路の突然の開閉によるウォーターハンマーを防ぐこともできる。さらに、実施の形態１では、熱媒体流量調整装置２５が二方弁である場合を例に説明を行なったが、三方流路を持つ制御弁とし利用側熱交換器２６をバイパスするバイパス管と共に設置するようにしてもよい。
【０１３５】
また、絞り装置１４ａは、電子式膨張弁などの開口面積を変化させられるものの他、小型の電磁弁などの開閉弁、キャピラリチューブ、小型の逆止弁などを使用してもよく、中圧を形成できればどのようなものでもよい。
【０１３６】
また、熱媒体流量調整装置２５は、ステッピングモーター駆動式で流路を流れる流量を制御できるものを使用するとよく、二方弁でも三方弁の一端を閉止したものでもよい。また、熱媒体流量調整装置２５として、開閉弁などの二方流路の開閉を行うものを用い、ＯＮ／ＯＦＦを繰り返して平均的な流量を制御するようにしてもよい。
【０１３７】
また、第２冷媒流路切替装置１８が四方弁であるかのように示したが、これに限るものではなく、二方流路切替弁や三方流路切替弁を複数個用い、同じように冷媒が流れるように構成してもよい。
【０１３８】
また、利用側熱交換器２６と熱媒体流量調整装置２５とが１つしか接続されていない場合でも同様のことが成り立つのは言うまでもなく、更に熱媒体間熱交換器１５及び絞り装置１６として、同じ動きをするものが複数個設置されていても、当然問題ない。さらに、熱媒体流量調整装置２５は、熱媒体変換機３に内蔵されている場合を例に説明したが、これに限るものではなく、室内機２に内蔵されていてもよく、熱媒体変換機３と室内機２とは別体に構成されていてもよい。
【０１３９】
熱媒体としては、たとえばブライン（不凍液）や水、ブラインと水の混合液、水と防食効果が高い添加剤の混合液などを用いることができる。したがって、空気調和装置１００においては、熱媒体が室内機２を介して室内空間７に漏洩したとしても、熱媒体に安全性の高いものを使用しているため安全性の向上に寄与することになる。
【０１４０】
冷媒としては、Ｒ３２などの吐出温度が高くなる冷媒を使用する時に吸入インジェクションの効果が大きく、Ｒ３２の他、Ｒ３２と地球温暖化係数が小さいテトラフルオロプロペン系冷媒であり化学式がＣＦ３ＣＦ＝ＣＨ２で表されるＨＦＯ１２３４ｙｆや化学式がＣＦ３ＣＨ＝ＣＨＦで表されるＨＦＯ１２３４ｚｅとの混合冷媒（非共沸混合冷媒）を使用してもよい。
冷媒としてＲ３２を使用した場合は、Ｒ４１０Ａを使用した場合に対して、同一運転状態において、吐出温度が約２０℃上昇するため、吐出温度を低下させて使用する必要があり、吸入インジェクションの効果が大きい。Ｒ３２とＨＦＯ１２３４ｙｆとの混合冷媒においては、Ｒ３２の質量比率が６２％以上である場合に、Ｒ４１０Ａ冷媒を使用した場合よりも吐出温度が３℃以上高くなり、吸入インジェクションにより、吐出温度を低下させるようにすると、効果が大きい。
また、Ｒ３２とＨＦＯ１２３４ｚｅとの混合冷媒においては、Ｒ３２の質量比率が４３％以上である場合に、Ｒ４１０Ａ冷媒を使用した場合よりも吐出温度が３℃以上高くなり、吸入インジェクションにより、吐出温度を低下させるようにすると、効果が大きい。
また、混合冷媒における冷媒種はこれに限るものではなく、その他の冷媒成分を少量含んだ混合冷媒であっても、吐出温度には大きな影響がなく、同様の効果を奏する。例えば、Ｒ３２とＨＦＯ１２３４ｙｆとその他の冷媒を少量含んだ混合冷媒などにおいても使用できる。
【０１４１】
また、一般的に、熱源側熱交換器１２及び利用側熱交換器２６ａ〜２６ｄには、送風機が取り付けられており、送風により凝縮あるいは蒸発を促進させる場合が多いが、これに限るものではなく、例えば利用側熱交換器２６ａ〜２６ｄとしては放射を利用したパネルヒータのようなものも用いることができるし、熱源側熱交換器１２としては、水や不凍液により熱を移動させる水冷式のタイプのものも用いることができ、放熱あるいは吸熱をできる構造のものであればどんなものでも用いることができる。
【０１４２】
また、ここでは、利用側熱交換器２６ａ〜２６ｄが４つである場合を例に説明を行ったが、幾つ接続してもよい。
【０１４３】
また、熱媒体間熱交換器１５ａ、１５ｂが２つである場合を例に説明を行ったが、当然、これに限るものではなく、熱媒体を冷却または／及び加熱できるように構成すれば、幾つ設置してもよい。
【０１４４】
また、ポンプ２１ａ、２１ｂはそれぞれ一つとは限らず、複数の小容量のポンプを並列に並べてもよい。
【０１４５】
また、本実施の形態１では、以下のような構成例を説明した。すなわち、圧縮機１０、四方弁（第１冷媒流路切替装置）１１、熱源側熱交換器１２、絞り装置１４ａ、絞り装置１４ｂ、開閉装置１７及び逆流防止装置２０を室外機１に収容している。また、利用側熱交換器２６を室内機２に収容し、熱媒体間熱交換器１５及び絞り装置１６を熱媒体変換機３に収容している。さらに、室外機１と熱媒体変換機３との間を２本一組の配管で接続し、室外機１と熱媒体変換機３との間で冷媒を循環させ、室内機２と熱媒体変換機３との間をそれぞれ２本一組の配管で接続し、室内機２と熱媒体変換機３との間で熱媒体を循環させ、熱媒体間熱交換器１５で冷媒と熱媒体とを熱交換させるシステムを例に説明を行った。しかし、空気調和装置１００は、それに限るものではない。
たとえば、圧縮機１０、四方弁（第１冷媒流路切替装置）１１、熱源側熱交換器１２、絞り装置１４ａ、絞り装置１４ｂ、開閉装置１７及び逆流防止装置２０を室外機１に収容し、空調対象空間の空気と冷媒とを熱交換させる負荷側熱交換器及び絞り装置１６を室内機２に収容し、室外機１及び室内機２とは別体に形成された中継器を備え、室外機１と中継器との間を２本一組の配管で接続し、室内機２と中継器との間をそれぞれ２本一組の配管で接続し、中継機を介して室外機１と室内機２との間で冷媒を循環させ、全冷房運転、全暖房運転、冷房主体運転、暖房主体運転を行うことができる直膨システムにも適用することができ、同様の効果を奏する。
【０１４６】
また、本実施の形態１では、以下のような構成例を説明した。すなわち、圧縮機１０、四方弁（第１冷媒流路切替装置）１１、熱源側熱交換器１２、絞り装置１４ａ、絞り装置１４ｂを室外機１に収容している。また、利用側熱交換器２６を室内機２に収容している。さらに、熱媒体間熱交換器１５及び絞り装置１６を熱媒体変換機３に収容し、室外機１と熱媒体変換機３との間を２本一組の配管で接続し、室外機１と熱媒体変換機３との間で冷媒を循環させ、室内機２と熱媒体変換機３との間をそれぞれ２本一組の配管で接続し、室内機２と熱媒体変換機３との間で熱媒体を循環させ、熱媒体間熱交換器１５で冷媒と熱媒体とを熱交換させるシステムを例に説明を行った。しかし、空気調和装置１００は、それに限るものではない。
たとえば、圧縮機１０、四方弁（第１冷媒流路切替装置）１１、熱源側熱交換器１２、絞り装置１４ａ、絞り装置１４ｂを室外機１に収容し、空調対象空間の空気と冷媒とを熱交換させる負荷側熱交換器及び絞り装置１６を室内機２に収容し、室外機１に対し、複数の室内機を２本一組の配管で接続し、室外機１と室内機２との間で冷媒を循環させ、冷房運転、暖房運転を行うことができる直膨システムにも適用することができ、同様の効果を奏する。
【０１４７】
また、ここでは、冷房主体運転や暖房主体運転といった冷暖混在運転が可能な空気調和装置を例に説明を行ったが、これに限るものではなく、冷房暖房混在運転ができない、全冷房運転と全暖房運転とを切り替えて使用する空気調和装置にも、適用することができ、同様の効果を奏する。また、冷暖房混在運転ができないものの中には、熱媒体間熱交換器が１つだけのものも含まれる。
【０１４８】
実施の形態２．
本発明の実施の形態２について、図面に基づいて説明する。本実施の形態は、実施の形態１の冷媒回路の一部を修正したものであり、多くの部分は実施の形態１と同じであり、実施の形態１と異なる部分のみ説明を行う。図１２は、本実施の形態２に係る空気調和装置（以下、空気調和装置１００ａと称する）の回路構成例である。図１２に基づいて、空気調和装置１００ａの詳しい構成について説明する。
【０１４９】
空気調和装置１００ａは、冷媒を循環させる冷凍サイクルである冷媒循環回路Ａ及び熱媒体を循環させる熱媒体循環回路Ｂを有しており、各室内機２が冷房運転、暖房運転を選択できるものである。本実施の形態２に係る空気調和装置１００ａは、実施の形態１に係る空気調和装置１００と同様に、全冷房運転モード、全暖房運転モード、冷房暖房混在運転モードを行うことができる。なお、冷暖房混在運転モードのうちの全冷房運転モード、全暖房運転モード、冷房主体運転モード、及び暖房主体運転モードについては、図１３〜図１６の説明で詳しく説明する。
【０１５０】
［室外機１］
図１２に示す実施の形態２に係る室外機１が、図２に示す実施の形態１に係る室外機１と異なる点の１つ目は、実施の形態１に係る分岐部２７ａの設置位置を変更したことである。また、異なる点の２つ目は、実施の形態１に係る開閉装置２４の代わりに逆流防止装置２４を設けていることである。
なお、分岐部２７ａを位置変更することに伴い、実施の形態２に係る室外機１において、分岐冷媒温度検出装置３３と分岐配管４ｄの接続位置を変更している。その他は実施の形態１と同じである。
この実施の形態２のように分岐部２７ａの設置位置を変更することにより、開閉装置２４を逆流防止装置２４に置き換えることができ、安価に空気調和装置１００ａを構成し、同一の効果を奏することができるようになる。
【０１５１】
分岐部２７ａは、３つの接続口を持ち、全冷房運転及び冷房主体運転の時の冷媒流入側の接続口（以下、第１の接続口とも称する）が熱源熱交換器１２へ繋がる配管に接続され、全暖房運転及び暖房主体運転の時の冷媒流入側の接続口（以下、第２の接続口とも称する）が逆止弁１３ａを介して冷媒配管４に繋がる配管に接続され、残りの一つの接続口（以下、第３の接続口とも称する）が逆流防止装置２４を介して分岐配管４ｄに接続される。すなわち、分岐部２７ａの接続関係は、逆止弁１３ａとの接続関係を除いて実施の形態１の分岐部２７ａと同様である。
【０１５２】
より詳細には、第１の接続口は、熱源熱交換器１２に接続される配管と連通している。そして、第１の接続口は、全冷房運転及び冷房主体運転時における冷媒流れ方向において、熱源熱交換器１２の下流側となっている。
また、第２の接続口は、逆止弁１３ａ側の配管及び逆止弁１３ｃ側の配管と連通している。そして、第２の接続口は、全暖房運転及び暖房主体運転時における冷媒流れ方向において、逆止弁１３ｃの下流側となっている。
さらに、第３の接続口は、逆流防止装置２４が接続される分岐配管４ｄと連通している。そして、第３の接続口は、全冷房運転及び冷房主体運転時における冷媒流れ方向において、逆流防止装置２４の上流側となっている。
【０１５３】
なお、実施の形態１に係る分岐部２７ａは、運転モードを問わず、同一の方向から冷媒が流出するように配置されていたが、本実施の形態２に係る分岐部２７ａは、全冷房運転モード及び全冷房主体運転モードと、全暖房運転モード及び全暖房主体運転モードと、で冷媒の流出方向が逆になるように配置されている。
【０１５４】
分岐部２７には、空気調和装置１００の運転モードに応じて、液冷媒又は気液２相冷媒が流れ込む。たとえば、全冷房運転モードの場合には、分岐部２７ａに液冷媒が流れ、分岐部２７ｂにガス冷媒が流れ、冷房主体運転モードの場合には、分岐部２７ａに気液２相冷媒が流れ、分岐部２７ｂにガス冷媒が流れ、全暖房運転モード及び暖房主体運転モードの場合には、分岐部２７ａ及び分岐部２７ｂに気液２相冷媒が流れる。
そこで、分岐部２７に気液２相冷媒が流れる時に、これを均等に分流する必要がある場合に、冷媒を下から上に冷媒が流れた後に、２手に分岐するような方向に分岐部２７ａを配置する。分岐部２７ａで２相冷媒を分岐するのは、冷房主体運転モードの場合のみであり、冷房主体運転モードの場合に、冷媒が下から上に流れた後に２手に分岐するように配置しておけばよい。
全暖房運転モード及び暖房主体運転モードの場合は、分岐部２７ａに２相冷媒が流入するが、３つの流路のうちの１つの流路は逆流防止装置２４によって閉じられているため、冷媒を２つの流路に分岐することはなく、一つの流路から入り、別の流路に出て行くだけの流れとなる。すなわち、実施の形態２における全暖房運転モード及び暖房主体運転モードの場合は、流出する冷媒が２手に分かれるわけでないことから、分岐部２７ａで冷媒が上から下（重力方向に体して反対方向）に流れていても問題はない。
【０１５５】
逆流防止装置２４は、分岐部２７ａと吸入インジェクション配管４ｃとの間の流路の開閉をするものである。逆流防止装置２４は、例えば逆止弁であり、逆流防止装置２４の入口側の圧力が出側の圧力よりも高い時に流路が開状態になり、逆流防止装置２４の入口側の圧力が出口側の圧力よりも低い時に流路が閉止され、自動的に流路の開閉が行われる。
全冷房運転モード及び冷房主体運転モードの場合は、分岐部２７ａに高圧の冷媒が流れる。インジェクションをするために絞り装置１４ｂを開くと、逆流防止装置２４の入口側（分岐部２７ａ側）の圧力が、逆流防止装置２４の出口側（逆流防止装置２０の出口側かつ絞り装置１４ｂの入口側）の圧力よりも高いため、分岐部２７ａ側から逆流防止装置２４及び絞り装置１４ｂ側に向かう流れが発生する。
一方、インジェクションをしない場合においては、絞り装置１４ｂを閉じると、冷媒の流れる先がなくなるため、分岐部２７ａ側から逆流防止装置２４側へ向かう流れが閉止される。
そして、全暖房運転モード及び暖房主体運転モードでは、分岐部２７ａには低圧の冷媒が流れるため、逆流防止装置２４の入口側（分岐部２７ａ側）の圧力（低圧）が、逆流防止装置２４の出口側（逆流防止装置２０の出口側かつ絞り装置１４ｂの入口側）の圧力（中圧）よりも低くなるため、逆流防止装置２４を介した流れは発生しない。
【０１５６】
分岐冷媒温度検出装置３３は、全冷房運転モード及び冷房主体運転モードの場合の分岐部２７ａへ流入する冷媒温度を検出するものであり、分岐部２７ａの全冷房運転モード及び冷房主体運転モードにおける流入側の流路に設けられている。
【０１５７】
分岐配管４ｄは、圧縮機１０にインジェクションする場合に、冷媒を吸入インジェクション配管４ｃに導くための配管である。分岐配管４ｄは、分岐部２７ａ、分岐部２７ｂ、及び吸入インジェクション配管４ｃに接続されている。分岐配管４ｄには、逆流防止装置２０及び逆流防止装置２４が設けられている。
【０１５８】
［全冷房運転モード］
図１３は、図１２に示す空気調和装置１００ａの全冷房運転時の冷媒及び熱媒体の流れを説明する図であり、図１３に基づき、空気調和装置１００ａの全冷房運転について、実施の形態１の図３の空気調和装置１００の全冷房運転と異なる点のみ説明する。
【０１５９】
冷媒循環回路Ａにおける冷媒の流れについて説明する。
低温低圧の冷媒が圧縮機１０によって圧縮され、高温高圧のガス冷媒となって吐出される。圧縮機１０から吐出された高温高圧のガス冷媒は、第１冷媒流路切替装置１１を介して熱源側熱交換器１２に流入する。そして、熱源側熱交換器１２で室外空気に放熱しながら凝縮液化し、高圧の気液２相冷媒となる。熱源側熱交換器１２から流出した高圧の気液２相冷媒は、分岐部２７ａ及び逆止弁１３ａを通って、室外機１から流出し、冷媒配管４を通って熱媒体変換機３に流入する。熱媒体変換機３に流入した高圧の気液２相冷媒は、開閉装置１７ａを経由した後に分岐されて絞り装置１６ａ及び絞り装置１６ｂで膨張させられて、低温低圧の二相冷媒となる。
【０１６０】
この二相冷媒は、蒸発器として作用する熱媒体間熱交換器１５ａ及び熱媒体間熱交換器１５ｂのそれぞれに流入し、熱媒体循環回路Ｂを循環する熱媒体から吸熱することで、熱媒体を冷却しながら、低温低圧のガス冷媒となる。熱媒体間熱交換器１５ａ及び熱媒体間熱交換器１５ｂから流出したガス冷媒は、第２冷媒流路切替装置１８ａ及び第２冷媒流路切替装置１８ｂを介して熱媒体変換機３から流出し、冷媒配管４を通って再び室外機１へ流入する。室外機１に流入した冷媒は、分岐部２７ｂを介して、逆止弁１３ｄを通って、第１冷媒流路切替装置１１及びアキュムレーター１９を介して、圧縮機１０へ再度吸入される。
【０１６１】
［全冷房運転モードのｐ−ｈ線図］
図１３に示す全冷房運転時におけるｐ−ｈ線図（圧力−エンタルピ線図）は、実施の形態１の図４と同じであり、このモードでのインジェクションの動作を図１３及び図４のｐ−ｈ線図により説明する。
圧縮機１０に吸入され、圧縮機１０で圧縮された冷媒は、熱源側熱交換器１２にて凝縮されて高圧の液冷媒となる（図４の点Ｊ）。この高圧の液冷媒は、分岐部２７ａに至る。
【０１６２】
インジェクションを行う場合には、絞り装置１４ｂを開くと、逆流防止装置２４の入口側（分岐部２７ａ側）の圧力が、逆流防止装置２４の出口側（逆流防止装置２０の出口側かつ絞り装置１４ｂの入口側）の圧力よりも高いため、分岐部２７ａから逆流防止装置２４を介した流れが発生し、分岐部２７ａで分岐した高圧の液冷媒の一部を、逆流防止装置２４及び分岐配管４ｄを介して、吸入インジェクション配管４ｃに流入させる。吸入インジェクション配管４ｃに流入した高圧の液冷媒は、絞り装置１４ｂによって減圧されて低温低圧の気液２相冷媒となり（図４の点Ｋ）、圧縮機１０とアキュムレーター１９とをつなぐ冷媒配管に流入する。
また、分岐部２７ａで分岐した高圧の液冷媒の残りは、逆止弁１３ａを介して、熱媒体変換機３に流入し、絞り装置１６で減圧させられて低圧の気液２相冷媒となり、さらに、蒸発器として機能する熱媒体間熱交換器１５に流入して低温低圧の気液２相冷媒となる。その後、この低温低圧の気液２相冷媒は、室外機１に流入して、アキュムレーター１９に流入する。
【０１６３】
吸入インジェクション配管４ｃから流出した低温低圧の気液２相冷媒と、アキュムレーター１９から流出した低温低圧のガス冷媒とは、圧縮機１０の吸入側に接続される冷媒配管４で合流し（図４の点Ｈ）、圧縮機１０に吸入される。この合流して生成された低温低圧の気液２相冷媒は、圧縮機１０の密閉容器及びモータで加熱されて蒸発し、インジェクションを行わない場合よりも温度が低下した低温低圧のガス冷媒になり、圧縮機１０の圧縮室に吸入され、再び圧縮機１０から吐出される（図４の点Ｉ）。
【０１６４】
なお、インジェクションを行わない場合には、絞り装置１４ｂを閉じると、冷媒の流れる先がなくなるため、逆流防止装置２４を介した流れは閉止され、分岐部２７ａを通って室外機１から流出した高圧の液冷媒は、絞り装置１６で減圧させられて低圧の気液２相冷媒となり、蒸発器として機能する熱媒体間熱交換器１５に流入して低温低圧のガス冷媒となり、アキュムレーター１９を介して圧縮機１０に吸入される（図４の点Ｆ）。この低温低圧のガス冷媒は、圧縮機１０の密閉容器及びモータで加熱され、インジェクションを行う場合よりも温度の高い低温低圧のガス冷媒となり、圧縮機１０の圧縮室に吸入され、再び圧縮機１０から吐出される（図４の点Ｇ）。
【０１６５】
なお、分岐配管４ｄの逆流防止装置２４から逆流防止装置２０に至る流路の冷媒は高圧冷媒であり、熱媒体変換機３から冷媒配管４を経由して室外機１に戻り、分岐部２７ｂに至る冷媒は低圧冷媒である。逆流防止装置２０の作用により、分岐配管４ｄの高圧冷媒が分岐部２７ｂの低圧冷媒と混合することが防止されている。
熱媒体循環回路Ｂにおける熱媒体の流れは、実施の形態１の図３と同じであり説明を省略する。
【０１６６】
［全暖房運転モード］
図１４は、図１２に示す空気調和装置１００ａの全暖房運転時の冷媒及び熱媒体の流れを説明する図であり、図１４に基づき、空気調和装置１００ａの全暖房運転について、実施の形態１の図５の空気調和装置１００の全暖房運転と異なる点のみ説明する。
【０１６７】
冷媒循環回路Ａにおける冷媒の流れについて説明する。
低温低圧の冷媒が圧縮機１０によって圧縮され、高温高圧のガス冷媒となって吐出される。圧縮機１０から吐出された高温高圧のガス冷媒は、第１冷媒流路切替装置１１を通り、第１接続配管４ａを導通し、逆止弁１３ｂを通過し、室外機１から流出する。室外機１から流出した高温高圧のガス冷媒は、冷媒配管４を通って熱媒体変換機３に流入する。熱媒体変換機３に流入した高温高圧のガス冷媒は、分岐されて第２冷媒流路切替装置１８ａ及び第２冷媒流路切替装置１８ｂを通って、熱媒体間熱交換器１５ａ及び熱媒体間熱交換器１５ｂのそれぞれに流入する。
【０１６８】
熱媒体間熱交換器１５ａ及び熱媒体間熱交換器１５ｂに流入した高温高圧のガス冷媒は、熱媒体循環回路Ｂを循環する熱媒体に放熱しながら凝縮液化し、高圧の気液２相冷媒となる。熱媒体間熱交換器１５ａ及び熱媒体間熱交換器１５ｂから流出した気液２相冷媒は、絞り装置１６ａ及び絞り装置１６ｂで膨張させられて、中温中圧の二相冷媒となる。この二相冷媒は、バイパス管４Ａ及び開閉装置１７ｂを通って、熱媒体変換機３から流出し、冷媒配管４を通って再び室外機１へ流入する。室外機１に流入した冷媒は、分岐部２７ｂを介して、第２接続配管４ｂに流れ込んで絞り装置１４ａを通り、絞り装置１４ａにより絞られて、低温低圧の二相冷媒となり、逆止弁１３ｃ及び分岐部２７ａを通過して、蒸発器として作用する熱源側熱交換器１２に流入する。
【０１６９】
そして、熱源側熱交換器１２に流入した冷媒は、熱源側熱交換器１２で室外空気から吸熱して、低温低圧のガス冷媒となる。熱源側熱交換器１２から流出した低温低圧のガス冷媒は、第１冷媒流路切替装置１１及びアキュムレーター１９を介して圧縮機１０へ再度吸入される。
【０１７０】
［全暖房運転モードのｐ−ｈ線図］
図１４に示す全暖房運転時におけるｐ−ｈ線図（圧力−エンタルピ線図）は、実施の形態１の図６と同じである。また、全暖房運転時は分岐部２７ｂで分岐された中圧の冷媒を圧縮機１０の吸入側にインジェクションするものであり、高圧側の冷媒を逆流防止装置２４を介してインジェクション配管に導入するものではない。従って、基本動作に関しては、実施の形態で説明した通りであり、説明を省略する。
【０１７１】
全暖房運転モードでは、分岐部２７ａには低圧の冷媒が流れるため、逆流防止装置２４の入口側（分岐部２７ａ側）の圧力（低圧）が、逆流防止装置２４の出口側（逆流防止装置２０の出口側かつ絞り装置１４ｂの入口側）の圧力（中圧）よりも低くなるため、逆流防止装置２４の作用により逆流防止装置２４を介した流れは発生せず、分岐部２７ａに流れている高圧状態の冷媒が、逆流防止装置２０を通って来た中圧状態の冷媒と混合するのを防止している。
熱媒体循環回路Ｂにおける熱媒体の流れは、実施の形態１の図５と同じであり説明を省略する。
【０１７２】
［冷房主体運転モード］
図１５は、図１２に示す空気調和装置１００ａの冷房主体運転時の冷媒及び熱媒体の流れを説明する図である。図１５に基づき、空気調和装置１００ａの冷房主体運転について、実施の形態１の図７の空気調和装置１００の冷房主体運転と異なる点のみ説明する。
【０１７３】
冷媒循環回路Ａにおける冷媒の流れについて説明する。
低温低圧の冷媒が圧縮機１０によって圧縮され、高温高圧のガス冷媒となって吐出される。圧縮機１０から吐出された高温高圧のガス冷媒は、第１冷媒流路切替装置１１を介して熱源側熱交換器１２に流入する。そして、熱源側熱交換器１２で室外空気に放熱しながら凝縮し、二相冷媒となる。熱源側熱交換器１２から流出した二相冷媒は、分岐部２７ａ及び逆止弁１３ａを通って、分岐部２７ａを介して、室外機１から流出し、冷媒配管４を通って熱媒体変換機３に流入する。熱媒体変換機３に流入した二相冷媒は、第２冷媒流路切替装置１８ｂを通って凝縮器として作用する熱媒体間熱交換器１５ｂに流入する。
【０１７４】
熱媒体間熱交換器１５ｂに流入した２相冷媒は、熱媒体循環回路Ｂを循環する熱媒体に放熱しながら凝縮液化し、気液２相冷媒となる。熱媒体間熱交換器１５ｂから流出した気液２相冷媒は、絞り装置１６ｂで膨張させられて低圧２相冷媒となる。この低圧２相冷媒は、絞り装置１６ａを介して蒸発器として作用する熱媒体間熱交換器１５ａに流入する。熱媒体間熱交換器１５ａに流入した低圧２相冷媒は、熱媒体循環回路Ｂを循環する熱媒体から吸熱することで、熱媒体を冷却しながら、低圧のガス冷媒となる。このガス冷媒は、熱媒体間熱交換器１５ａから流出し、第２冷媒流路切替装置１８ａを介して熱媒体変換機３から流出し、冷媒配管４を通って再び室外機１へ流入する。室外機１に流入した冷媒は、分岐部２７ｂを介して、逆止弁１３ｄを通って、第１冷媒流路切替装置１１及びアキュムレーター１９を介して、圧縮機１０へ再度吸入される。
【０１７５】
［冷房主体運転モードのｐ−ｈ線図］
図１５に示す冷房主体運転時におけるｐ−ｈ線図（圧力−エンタルピ線図）は、実施の形態１の図８と同じであり、このモードでのインジェクションの動作を図１５及び図８のｐ−ｈ線図により説明する。
圧縮機１０に吸入され、圧縮機１０で圧縮された冷媒は、熱源側熱交換器１２にて凝縮されて高圧の気液２相冷媒となる（図８の点Ｊ）。この高圧の気液２相冷媒は、分岐部２７ａに至る。
【０１７６】
インジェクションを行う場合には、絞り装置１４ｂを開くと、逆流防止装置２４の入口側（分岐部２７ａ側）の圧力が、逆流防止装置２４の出口側（逆流防止装置２０の出口側かつ絞り装置１４ｂの入口側）の圧力よりも高いため、分岐部２７ａから逆流防止装置２４を介した流れが発生し、分岐部２７ａで分岐した高圧の気液２相冷媒の一部を、逆流防止装置２４及び分岐配管４ｄを介して、吸入インジェクション配管４ｃに流入させる。吸入インジェクション配管４ｃに流入した高圧の気液２相冷媒は、絞り装置１４ｂによって減圧されて低温低圧の気液２相冷媒となり（図８の点Ｋ）、圧縮機１０とアキュムレーター１９とをつなぐ冷媒配管に流入する。
また、分岐部２７ａで分岐した高圧の気液２相冷媒の残りは、逆止弁１３ａを介して、熱媒体変換機３に流入して絞り装置１６で減圧させられて低圧の気液２相冷媒となり、さらに、蒸発器として機能する熱媒体間熱交換器１５に流入して低温低圧の気液２相冷媒となる。その後、この低温低圧の気液２相冷媒は、室外機１に戻りアキュムレーター１９に流入する。
【０１７７】
吸入インジェクション配管４ｃから流出した低温低圧の気液２相冷媒と、アキュムレーター１９から流出した低温低圧のガス冷媒とは、圧縮機１０の吸入側に接続される冷媒配管４で合流し（図８の点Ｈ）、圧縮機１０に吸入される。この合流して生成された低温低圧の気液２相冷媒は、圧縮機１０の密閉容器及びモータで加熱されて蒸発し、インジェクションを行わない場合よりも温度が低下した低温低圧のガス冷媒になり、圧縮機１０の圧縮室に吸入され、再び圧縮機１０から吐出される（図８の点Ｉ）。
【０１７８】
なお、インジェクションを行わない場合には、絞り装置１４ｂを閉じると、冷媒が流れる先がなくなるため、逆流防止装置２４を介した流れは閉止され、分岐部２７ａを通って室外機１から流出した高圧の気液２相冷媒は、凝縮器として機能する熱媒体間熱交換器１５ｂを介して絞り装置１６ｂ及び絞り装置１６ａに流入して低圧の気液２相冷媒となり、蒸発器として機能する熱媒体間熱交換器１５ａに流入して低温低圧のガス冷媒となる。その後、アキュムレーター１９を介して圧縮機１０に吸入される（図８の点Ｆ）。この低温低圧のガス冷媒は、圧縮機１０の密閉容器及びモータで加熱され、インジェクションを行う場合よりも温度の高い低温低圧のガス冷媒となり、圧縮機１０の圧縮室に吸入され、再び圧縮機１０から吐出される（図８の点Ｇ）。
【０１７９】
なお、分岐配管４ｄの逆流防止装置２４から逆流防止装置２０に至る流路の冷媒は高圧冷媒であり、熱媒体変換機３から冷媒配管４を経由して室外機１に戻り、分岐部２７ｂに至る冷媒は低圧冷媒である。逆流防止装置２０の作用により、分岐配管４ｄの高圧冷媒が分岐部２７ｂの低圧冷媒と混合することが防止されている。
熱媒体循環回路Ｂにおける熱媒体の流れは、実施の形態１の図７と同じであり説明を省略する。
【０１８０】
［暖房主体運転モード］
図１６は、図１２に示す空気調和装置１００ａの全暖房運転時の冷媒及び熱媒体の流れを説明する図であり、図１６に基づき、空気調和装置１００ａの全暖房運転について、実施の形態１の図９の空気調和装置１００の全暖房運転と異なる点のみ説明する。
【０１８１】
冷媒循環回路Ａにおける冷媒の流れについて説明する。
低温低圧の冷媒が圧縮機１０によって圧縮され、高温高圧のガス冷媒となって吐出される。圧縮機１０から吐出された高温高圧のガス冷媒は、第１冷媒流路切替装置１１を通り、第１接続配管４ａを導通し、逆止弁１３ｂを通過し、室外機１から流出する。室外機１から流出した高温高圧のガス冷媒は、冷媒配管４を通って熱媒体変換機３に流入する。熱媒体変換機３に流入した高温高圧のガス冷媒は、第２冷媒流路切替装置１８ｂを通って凝縮器として作用する熱媒体間熱交換器１５ｂに流入する。
【０１８２】
熱媒体間熱交換器１５ｂに流入したガス冷媒は、熱媒体循環回路Ｂを循環する熱媒体に放熱しながら凝縮液化し、気液２相冷媒となる。熱媒体間熱交換器１５ｂから流出した気液２相冷媒は、絞り装置１６ｂで膨張させられて中圧二相冷媒となる。この中圧二相冷媒は、絞り装置１６ａを介して蒸発器として作用する熱媒体間熱交換器１５ａに流入する。熱媒体間熱交換器１５ａに流入した中圧二相冷媒は、熱媒体循環回路Ｂを循環する熱媒体から吸熱することで蒸発し、熱媒体を冷却する。この低圧二相冷媒は、熱媒体間熱交換器１５ａから流出し、第２冷媒流路切替装置１８ａを介して熱媒体変換機３から流出し、冷媒配管４を通って再び室外機１へ流入する。
【０１８３】
室外機１に流入した冷媒は、分岐部２７ｂを介して、第２接続配管４ｂに流れ込んで絞り装置１４ａを通り、絞り装置１４ａにより絞られて、低温低圧の二相冷媒となり、逆止弁１３ｃ及び分岐部２７ａを通って、蒸発器として作用する熱源側熱交換器１２に流入する。そして、熱源側熱交換器１２に流入した冷媒は、熱源側熱交換器１２で室外空気から吸熱して、低温低圧のガス冷媒となる。熱源側熱交換器１２から流出した低温低圧のガス冷媒は、第１冷媒流路切替装置１１及びアキュムレーター１９を介して圧縮機１０へ再度吸入される。
【０１８４】
［暖房主体運転モードのｐ−ｈ線図］
図１６に示す暖房主体運転時におけるｐ−ｈ線図（圧力−エンタルピ線図）は、実施の形態１の図１０と同じである。また、暖房主体運転時は分岐部２７ｂで分岐された中圧の冷媒を圧縮機１０の吸入側にインジェクションするものであり、高圧側の冷媒を逆流防止装置２４を介してインジェクション配管に導入するものではない。従って、基本動作に関しては、実施の形態で説明した通りであり、説明を省略する。
【０１８５】
暖房主体運転モードでは、分岐部２７ａには低圧の冷媒が流れるため、逆流防止装置２４の入口側（分岐部２７ａ側）の圧力（低圧）が、逆流防止装置２４の出口側（逆流防止装置２０の出口側かつ絞り装置１４ｂの入口側）の圧力（中圧）よりも低くなるため、逆流防止装置２４の作用により逆流防止装置２４を介した流れは発生せず、分岐部２７ａに流れる高圧状態の冷媒が、逆流防止装置２０を通って来た中圧状態の冷媒と混合するのを防止している。
熱媒体循環回路Ｂにおける熱媒体の流れは、実施の形態１の図９と同じであり説明を省略する。
【符号の説明】
【０１８６】
１  室外機（熱源機）、２  室内機、２ａ〜２ｄ  室内機、３  熱媒体変換機、４  冷媒配管、４ａ  第１接続配管、４ｂ  第２接続配管、４Ａ  バイパス管、４ｃ  インジェクション配管、４ｄ  分岐配管、５  配管、６  室外空間、７  室内空間、８  空間、９  建物、１０  圧縮機、１１  第１冷媒流路切替装置（四方弁）、１２  熱源側熱交換器（第一の熱交換器）、１３ａ〜１３ｄ  逆止弁、１４  絞り装置、１４ａ  絞り装置（第三の絞り装置）、１４ｂ  絞り装置（第二の絞り装置）、１５  熱媒体間熱交換器（第二の熱交換器）、１５ａ、１５ｂ  熱媒体間熱交換器（第二の熱交換器）、１６  絞り装置、１６ａ、１６ｂ  絞り装置（第一の絞り装置）、１７  開閉装置、１７ａ、１７ｂ  開閉装置、１８  第２冷媒流路切替装置、１８ａ、１８ｂ  第２冷媒流路切替装置、１９  アキュムレーター、２０  逆流防止装置（第二の導通装置）、２１  ポンプ、２１ａ、２１ｂ  ポンプ、２２  熱媒体流路切替装置、２２ａ〜２２ｄ  熱媒体流路切替装置、２３  熱媒体流路切替装置、２３ａ〜２３ｄ  熱媒体流路切替装置、２４  開閉装置または逆流防止装置（第一の導通装置）、２５  熱媒体流量調整装置、２５ａ〜２５ｄ  熱媒体流量調整装置、２６  利用側熱交換器、２６ａ〜２６ｄ  利用側熱交換器、２７ａ  分岐部（第一の分岐部）、２７ｂ  分岐部（第二の分岐部）、３１  温度センサー、３１ａ、３１ｂ  温度センサー、３２  中圧検出装置、３３  分岐冷媒温度検出装置、３４  温度センサー、３４ａ〜３４ｄ  温度センサー、３５  温度センサー、３５ａ〜３５ｄ  温度センサー、３６  圧力センサー、３７  吐出冷媒温度検出装置、３８  吸入冷媒温度検出装置、３９  高圧検出装置、４１  流入管、４２  流出管、４３  絞り部、４４  弁体、４５  モータ、４６  攪拌装置、５０  制御装置、１００  空気調和装置、１００ａ  空気調和装置、Ａ 冷媒循環回路、Ｂ 熱媒体循環回路。
【図１】
0005885753.tif 000002
【図２】
0005885753.tif 000003
【図３】
0005885753.tif 000004
【図４】
0005885753.tif 000005
【図５】
0005885753.tif 000006
【図６】
0005885753.tif 000007
【図７】
0005885753.tif 000008
【図８】
0005885753.tif 000009
【図９】
0005885753.tif 000010
【図１０】
0005885753.tif 000011
【図１１】
0005885753.tif 000012
【図１２】
0005885753.tif 000013
【図１３】
0005885753.tif 000014
【図１４】
0005885753.tif 000015
【図１５】
0005885753.tif 000016
【図１６】
0005885753.tif 000017